(57)【特許請求の範囲】
【請求項１】
ユーザが取り置きを指示した１以上の商品の代金を示す代金情報と、当該商品の販売者の識別情報である販売者識別情報と、当該商品の取り置きを指示したユーザが、当該商品を購入する際の決済に利用するカードである決済カードのカード識別情報と、を有する情報である仮決済情報を受信する仮決済受信部と、
仮決済情報と、当該仮決済情報を識別する情報である仮決済識別情報とを有する１以上の仮決済管理情報が格納される仮決済管理情報格納部と、
前記仮決済受信部が受信した仮決済情報を識別する仮決済識別情報を取得し、取得した仮決済識別情報と、前記仮決済情報とを有する仮決済管理情報を、前記仮決済管理情報格納部に蓄積する仮決済管理情報蓄積部と、
前記仮決済管理情報蓄積部が取得した仮決済識別情報を、この仮決済識別情報が示す仮決済情報のカード識別情報が示す決済カードのユーザが利用するユーザ端末に送信する仮決済識別情報送信部と、
ユーザ端末から１以上の仮決済識別情報が示す仮決済情報に関する決済を行う指示である決済指示を受信する決済指示受信部と、
前記決済指示受信部が受信した決済指示に応じて、前記１以上の仮決済識別情報が示す仮決済情報が有するカード識別情報を用いて、当該仮決済情報に対応する商品についての決済を行う決済処理部と、
前記決済指示が示す１以上の仮決済識別情報が示す仮決済情報に関する決済を完了したことを示す決済完了情報を、当該仮決済情報の販売者識別情報が示す販売者に対応する通知先に送信する決済完了情報送信部とを備えた決済処理装置。
【請求項２】
１以上の仮決済識別情報が示す仮決済情報に関する決済を行わないことを示す情報である取消情報を受信する取消指示受信部と、
前記取消指示受信部が受信した取消指示に応じて、前記１以上の仮決済識別情報に対応する仮決済情報を削除する決済取消処理部と、
前記削除された仮決済情報の販売者識別情報が示す販売者に対応する通知先に、当該仮決済情報を示す仮決済識別情報を有する情報であって、当該仮決済識別情報が示す仮決済情報が削除されたことを示す情報である取消通知情報を送信する取消通知部とを更に備えた請求項１記載の決済処理装置。
【請求項３】
前記仮決済管理情報格納部には、仮決済識別情報が示す仮決済情報に関する決済指示を受け付ける期限を示す情報である決済指示期限情報を更に有する仮決済管理情報が格納され、
前記仮決済管理情報蓄積部は、前記仮決済受信部が受信した仮決済情報についての決済指示期限情報を取得して、取得した仮決済指示期限情報と、前記仮決済識別情報と、前記仮決済情報とを有する仮決済管理情報を、前記仮決済管理情報格納部に蓄積し、
前記決済取消処理部は、決済指示期限情報が示す期限を過ぎた仮決済情報を決済対象削除する請求項２記載の決済処理装置。
【請求項４】
前記決済取消処理部が削除した仮決済情報を用いて、当該仮決済情報に含まれるカード識別情報が示す決済カードから、当該仮決済情報に含まれる販売者識別情報が示す販売者に対して、取消料の決済を行う取消料処理部を更に備えた請求項２または請求項３記載の決済処理装置。
【請求項５】
現在の日付を取得し、前記仮決済管理情報格納部に格納されている決済指示期限情報が示す期限と、現在の日付との差が、予め指定された日数以下であるか否かを判断する期限判断部と、
前記期限判断部が予め指定された日数以下であると判断した場合に、当該判断の対象となった決済指示期限情報と対応付けられた仮決済識別情報が示す仮決済情報のカード識別情報が示す決済カードのユーザに対応する通知先に、当該仮決済識別情報が示す仮決済情報に関する決済指示を受け付ける期限が近づいていることを示す情報を送信する期限送信部と、を更に備えた請求項３記載の決済処理装置。
【請求項６】
１以上の販売者端末と、決済処理装置と、１以上のユーザ端末とを備えた決済処理システムであって、
前記販売者端末は、
ユーザが取り置きを指示した１以上の商品の識別情報である１以上の取置商品識別情報を取得する取置商品識別情報取得部と、
前記取置商品識別情報に対応する１以上の商品の代金を示す代金情報と、当該商品の販売者の識別情報である販売者識別情報と、当該商品の取り置きを指示したユーザが、当該商品を購入する際の決済に利用するカードである決済カードのカード識別情報とを有する情報である仮決済情報を取得する仮決済情報取得部と、
仮決済情報を、前記決済処理装置に送信する仮決済情報送信部と、
前記取置商品識別情報と、前記仮決済情報送信部が送信した仮決済情報に対応する仮決済識別情報と、を有する取置情報を、出力する取置情報出力部と、
前記取置情報出力部が出力した取置情報に含まれる仮決済識別情報に対応する仮決済情報に関する決済が完了したことを示す情報である決済完了情報を前記決済処理装置から受信する決済完了情報受信部と、
決済完了情報受信部が受信した決済完了情報に関する情報を出力する決済完了情報出力部と、を備え、
前記決済処理装置は、
前記仮決済情報を前記販売者端末から受信する仮決済受信部と、
仮決済情報と、当該仮決済情報を識別する情報である仮決済識別情報とを有する情報である１以上の仮決済管理情報が格納される仮決済管理情報格納部と、
前記仮決済受信部が受信した仮決済情報を識別する仮決済識別情報を取得し、取得した仮決済識別情報と、前記仮決済情報とを有する仮決済管理情報を、前記仮決済管理情報格納部に蓄積する仮決済管理情報蓄積部と、
前記仮決済管理情報蓄積部が取得した仮決済識別情報を、この仮決済識別情報が示す仮決済情報のカード識別情報が示す決済カードのユーザが利用するユーザ端末に送信する仮決済識別情報送信部と、
前記ユーザ端末から、１以上の仮決済識別情報が示す仮決済情報に関する決済を行う指示である決済指示を受信する決済指示受信部と、
前記決済指示受信部が受信した決済指示に応じて、前記１以上の仮決済識別情報が示す仮決済情報が有するカード識別情報を用いて、当該仮決済情報に対応する商品についての決済を行う決済処理部と、
前記決済指示が示す１以上の仮決済識別情報が示す仮決済情報に関する決済を完了したことを示す決済完了情報を、当該仮決済情報の販売者識別情報が示す販売者端末に送信する決済完了情報送信部と、を備え、
前記ユーザ端末は、
ユーザが取り置きを指示した１以上の商品に対応した仮決済識別情報に対する決済指示を受け付ける決済指示受付部と、
前記決済指示受付部が受け付けた決済指示を、前記決済処理装置に送信する決済指示送信部と、を備えた決済処理システム。
【請求項７】
仮決済受信部と、仮決済情報と当該仮決済情報を識別する情報である仮決済識別情報とを有する１以上の仮決済管理情報が格納される仮決済管理情報格納部と、仮決済管理情報蓄積部と、決済指示受信部と、決済処理部と、決済完了情報送信部とを用いて実行される決済処理方法であって、
前記仮決済受信部が、ユーザが取り置きを指示した１以上の商品の代金を示す代金情報と、当該商品の販売者の識別情報である販売者識別情報と、当該商品の取り置きを指示したユーザが、当該商品を購入する際の決済に利用するカードである決済カードのカード識別情報と、を有する情報である仮決済情報を受信する仮決済受信ステップと、
前記仮決済管理情報蓄積部が、前記仮決済受信ステップで受信した仮決済情報を識別する仮決済識別情報を取得し、取得した仮決済識別情報と、前記仮決済情報とを有する仮決済管理情報を、前記仮決済管理情報格納部に蓄積する仮決済管理情報蓄積ステップと、
前記仮決済管理情報蓄積部が取得した仮決済識別情報を、この仮決済識別情報が示す仮決済情報のカード識別情報が示す決済カードのユーザが利用するユーザ端末に送信する仮決済識別情報送信部と、
前記決済指示受信部が、ユーザ端末から１以上の仮決済識別情報が示す仮決済情報に関する決済を行う指示である決済指示を受信する決済指示受信ステップと、
前記決済処理部が、前記決済指示受信ステップで受信した決済指示に応じて、前記１以上の仮決済識別情報が示す仮決済情報が有するカード識別情報を用いて、当該仮決済情報に対応する商品についての決済を行う決済処理ステップと、
前記決済完了情報送信部が、前記決済指示が示す１以上の仮決済識別情報が示す仮決済情報に関する決済を完了したことを示す決済完了情報を、当該仮決済情報の販売者識別情報が示す販売者に対応する通知先に送信する決済完了送信ステップとを備えた決済処理方法。
【請求項８】
仮決済情報と、当該仮決済情報を識別する情報である仮決済識別情報とを有する１以上の仮決済管理情報が格納される仮決済管理情報格納部にアクセス可能なコンピュータを、
ユーザが取り置きを指示した１以上の商品の代金を示す代金情報と、当該商品の販売者の識別情報である販売者識別情報と、当該商品の取り置きを指示したユーザが、当該商品を購入する際の決済に利用するカードである決済カードのカード識別情報と、を有する情報である仮決済情報を受信する仮決済受信部と、
前記仮決済受信部が受信した仮決済情報を識別する仮決済識別情報を取得し、取得した仮決済識別情報と、前記仮決済情報とを有する仮決済管理情報を、前記仮決済管理情報格納部に蓄積する仮決済管理情報蓄積部と、
前記仮決済管理情報蓄積部が取得した仮決済識別情報を、この仮決済識別情報が示す仮決済情報のカード識別情報が示す決済カードのユーザが利用するユーザ端末に送信する仮決済識別情報送信部と、
ユーザ端末から１以上の仮決済識別情報が示す仮決済情報に関する決済を行う指示である決済指示を受信する決済指示受信部と、
前記決済指示受信部が受信した決済指示に応じて、前記１以上の仮決済識別情報が示す仮決済情報が有するカード識別情報を用いて、当該仮決済情報に対応する商品についての決済を行う決済処理部と、
前記決済指示が示す１以上の仮決済識別情報が示す仮決済情報に関する決済を完了したことを示す決済完了情報を、当該仮決済情報の販売者識別情報が示す販売者に対応する通知先に送信する決済完了情報送信部として機能させるためのプログラム。
【発明の詳細な説明】
【技術分野】
【０００１】
本発明は、クレジットカード等の決済に用いられるカードを利用して決済処理を行う決済処理システム等に関するものである。
【背景技術】
【０００２】
従来の技術として、ＰＯＳ端末は、ホストコンピュータへ取置商品の問合せを送信し、取置情報を受信し、取置情報を印刷するプリンタ、取置情報を読取るバーコードリーダを備え、店舗サーバは、商品情報を登録する在庫データベースと、この在庫データベースの商品情報を更新し、取置商品情報の問合せをホストコンピュータから受信および送信し、ホストコンピュータは、ＰＯＳ端末から取置商品の問合せを受信し、各店舗サーバへ取置商品情報の問合せを送信し、各店舗サーバから取置商品情報の回答を受信し、その取置商品情報に基づいて当該店舗を特定し、取置データベースに取置情報を登録し、ＰＯＳ端末へ取置情報を送信する商品管理システムが知られていた（例えば、特許文献１参照）。
【先行技術文献】
【特許文献】
【０００３】
【特許文献１】特開２００７−２６５１８４号公報（第１頁、第１図等）
【発明の概要】
【発明が解決しようとする課題】
【０００４】
しかしながら、従来の決済処理装置においては、店舗に取り置きしてもらった商品をユーザが購入する場合、例えば、ユーザが販売店の店舗を訪問したり、販売店に連絡したりして、商品代金を決済する処理を行わなければならず、取り置きした商品を購入する際の処理が煩わしく、ユーザが商品の決済を容易に行えない、という課題があった。
【課題を解決するための手段】
【０００５】
本発明の決済処理装置は、ユーザが取り置きを指示した１以上の商品の代金を示す代金情報と、商品の販売者の識別情報である販売者識別情報と、商品の取り置きを指示したユーザが、商品を購入する際の決済に利用するカードである決済カードのカード識別情報と、を有する情報である仮決済情報を受信する仮決済受信部と、仮決済情報と、仮決済情報を識別する情報である仮決済識別情報とを有する１以上の仮決済管理情報が格納される仮決済管理情報格納部と、仮決済受信部が受信した仮決済情報を識別する仮決済識別情報を取得し、取得した仮決済識別情報と、仮決済情報とを有する仮決済管理情報を、仮決済管理情報格納部に蓄積する仮決済管理情報蓄積部と、１以上の仮決済識別情報が示す仮決済情報に関する決済を行う指示である決済指示を受信する決済指示受信部と、決済指示受信部が受信した決済指示に応じて、１以上の仮決済識別情報が示す仮決済情報に関する決済を行う決済処理部と、決済指示が示す１以上の仮決済識別情報が示す仮決済情報に関する決済を完了したことを示す決済完了情報を、仮決済情報の販売者識別情報が示す販売者に対応する通知先に送信する決済完了情報送信部とを備えた決済処理装置である。
【０００６】
かかる構成により、ユーザが、取り置きした商品の決済を容易に行うことができる。
【０００７】
また、本発明の決済処理装置は、前記決済処理装置において、１以上の仮決済識別情報が示す仮決済情報に関する決済を行わないことを示す情報である取消情報を受信する取消指示受信部と、取消指示受信部が受信した取消指示に応じて、１以上の仮決済識別情報に対応する仮決済情報を削除する決済取消処理部と、削除された仮決済情報の販売者識別情報が示す販売者に対応する通知先に、仮決済情報を示す仮決済識別情報を有する情報であって、仮決済識別情報が示す仮決済情報が削除されたことを示す情報である取消通知情報を送信する取消通知部とを更に備えた決済処理装置である。
【０００８】
かかる構成により、ユーザが、取り置きした商品についての取り置きの取り消しを容易に行うことができる。
【０００９】
また、本発明の決済処理装置は、前記決済処理装置において、仮決済管理情報格納部には、仮決済識別情報が示す仮決済情報に関する決済指示を受け付ける期限を示す情報である決済指示期限情報を更に有する仮決済管理情報が格納され、仮決済管理情報蓄積部は、仮決済受信部が受信した仮決済情報についての決済指示期限情報を取得して、取得した仮決済指示期限情報と、仮決済識別情報と、仮決済情報とを有する仮決済管理情報を、仮決済管理情報格納部に蓄積し、決済取消処理部は、決済指示期限情報が示す期限を過ぎた仮決済情報を削除する決済処理装置である。
【００１０】
かかる構成により、取り置きした商品についての、取り置きが可能な期限が過ぎた場合に、この商品についての取り置きを取り消すことができる。
【００１１】
また、本発明の決済処理装置は、前記決済処理装置において、決済取消処理部が削除した仮決済情報を用いて、仮決済情報に含まれるカード識別情報が示す決済カードから、仮決済情報に含まれる販売者識別情報が示す販売者に対して、取消料の決済を行う取消料処理部を更に備えた決済処理装置である。
【００１２】
かかる構成により、取り置きした商品についての取り置きが取り消された場合に、取消料を確実に請求することができる。
【００１３】
また、本発明の決済処理装置は、前記決済処理装置において、現在の日付を取得し、仮決済管理情報格納部に格納されている決済指示期限情報が示す期限と、現在の日付との差が、予め指定された日数以下であるか否かを判断する期限判断部と、期限判断部が予め指定された日数以下であると判断した場合に、判断の対象となった決済指示期限情報と対応付けられた仮決済識別情報が示す仮決済情報のカード識別情報が示す決済カードのユーザに対応する通知先に、仮決済識別情報が示す仮決済情報に関する決済指示を受け付ける期限が近づいていることを示す情報を送信する期限送信部と、を更に備えた決済処理装置である。
【００１４】
かかる構成により、取り置きの期限が近づいたことをユーザに通知することができる。
【００１５】
また、本発明の決済処理システムは、１以上の販売者端末と、決済処理装置と、１以上のユーザ端末とを備えた決済処理システムであって、販売者端末は、ユーザが取り置きを指示した１以上の商品の識別情報である１以上の取置商品識別情報を取得する取置商品識別情報取得部と、取置商品識別情報に対応する１以上の商品の代金を示す代金情報と、商品の販売者の識別情報である販売者識別情報と、商品の取り置きを指示したユーザが、商品を購入する際の決済に利用するカードである決済カードのカード識別情報とを有する情報である仮決済情報を取得する仮決済情報取得部と、仮決済情報を、決済処理装置に送信する仮決済情報送信部と、取置商品識別情報と、仮決済情報送信部が送信した仮決済情報に対応する仮決済識別情報と、を有する取置情報を、出力する取置情報出力部と、取置情報出力部が出力した取置情報に含まれる仮決済識別情報に対応する仮決済情報に関する決済が完了したことを示す情報である決済完了情報を決済処理装置から受信する決済完了情報受信部と、決済完了情報受信部が受信した決済完了情報に関する情報を出力する決済完了情報出力部と、を備え、決済処理装置は、仮決済情報を販売者端末から受信する仮決済受信部と、仮決済情報と、仮決済情報を識別する情報である仮決済識別情報とを有する情報である１以上の仮決済管理情報が格納される仮決済管理情報格納部と、仮決済受信部が受信した仮決済情報を識別する仮決済識別情報を取得し、取得した仮決済識別情報と、仮決済情報とを有する仮決済管理情報を、仮決済管理情報格納部に蓄積する仮決済管理情報蓄積部と、ユーザ端末から、１以上の仮決済識別情報が示す仮決済情報に関する決済を行う指示である決済指示を受信する決済指示受信部と、決済指示受信部が受信した決済指示に応じて、１以上の仮決済識別情報が示す仮決済情報に関する決済を行う決済処理部と、決済指示が示す１以上の仮決済識別情報が示す仮決済情報に関する決済を完了したことを示す決済完了情報を、仮決済情報の販売者識別情報が示す販売者端末に送信する決済完了情報送信部と、を備え、ユーザ端末は、ユーザが取り置きを指示した１以上の商品に対応した仮決済識別情報に対する決済指示を受け付ける決済指示受付部と、決済指示受付部が受け付けた決済指示を、決済処理装置に送信する決済指示送信部と、を備えた決済処理システムである。
【００１６】
かかる構成により、ユーザが、取り置きした商品の決済を容易に行うことができる。また、例えば、販売者端末を利用する販売者は、取り置きした商品についての決済等の管理を行わなくて良くなる。また、例えば、決済処理装置を利用する決済カードを用いたサービスの提供者は、取り置きした商品の決済が、決済カードで行われるため、決済カードの利用を促進することができる。
【発明の効果】
【００１７】
本発明による決済処理システム等によれば、ユーザが、取り置きした商品の決済を容易に行うことができる。
【図面の簡単な説明】
【００１８】
【図１】本発明の実施の形態における決済処理システムのブロック図
【図２】同販売者端末の動作について説明するフローチャート
【図３】同決済処理装置の動作について説明するフローチャート
【図４】同ユーザ端末の動作について説明するフローチャート
【図５】同決済処理システムの概念図を示す図
【図６】同期限ルール情報を示す図
【図７】同仮決済管理情報を示す図
【図８】同ユーザアドレス管理情報を示す図
【図９】同取置情報を示す図
【図１０】同決済指示を受け付けるための入力インターフェース画面を示す図
【図１１】同販売者アドレス管理情報を示す図
【図１２】同決済完了情報の表示例を示す図
【図１３】同取消指示を受け付けるための入力インターフェース画面を示す図
【図１４】同取消料管理情報を示す図
【図１５】同取消通知情報の表示例を示す図
【図１６】同決済の期限が近づいていることを示す情報の表示例を示す図
【図１７】本発明の実施の形態による決済処理装置等を実現するコンピュータの外観の一例を示す模式図
【図１８】同コンピュータの内部構成を示す図
【発明を実施するための形態】
【００１９】
以下、決済処理装置等の実施形態について図面を参照して説明する。なお、実施の形態において同じ符号を付した構成要素は同様の動作を行うので、再度の説明を省略する場合がある。
【００２０】
（実施の形態）
図１は、本実施の形態における決済処理システム１のブロック図である。
【００２１】
決済処理システム１は、１以上の販売者端末１１、決済処理装置１２、１以上のユーザ端末１３を備える。１以上の販売者端末と、決済処理装置１２と、１以上のユーザ端末１３とは、ネットワークや通信回線等を介して通信可能に接続されている。なお、１以上の販売者端末と、決済処理装置１２と、１以上のユーザ端末１３との間の個々の接続は、異なるネットワークや通信回線等で接続されていても良い。例えば、１以上の販売者端末と、決済処理装置１２との間は専用線等の通信回線で接続され、決済処理装置１２と、１以上のユーザ端末１３との間は、インターネット等のネットワークで接続されていてもよい。ここでは、説明のため、インターネット等のネットワークを介して接続されている場合を例に挙げて示している。
【００２２】
販売者端末１１は、取置商品識別情報取得部１１１、仮決済情報取得部１１２、仮決済情報送信部１１３、仮決済識別情報受信部１１４、取置情報格納部１１５、取置情報出力部１１６、決済完了情報受信部１１７、決済完了情報出力部１１８を備える。
【００２３】
決済処理装置１２は、仮決済受信部１２１、仮決済管理情報格納部１２２、仮決済管理情報蓄積部１２３、仮決済識別情報送信部１２４、決済指示受信部１２５、決済処理部１２６、決済完了情報送信部１２７、取消指示受信部１２８、期限判断部１２９、期限送信部１４０、決済取消処理部１４１、取消料処理部１４２、取消通知部１４３を備える。
【００２４】
ユーザ端末１３は、ユーザ側受信部１３１、決済指示受付部１３２、決済指示送信部１３３、ユーザ側出力部１３４を備える。
【００２５】
販売者端末１１は、商品の販売者が利用する情報処理端末である。商品とは、ここでは、物品等の有形物であってもよいし、サービス等の無形物であっても良い。販売者とは、商品の販売を行う法人または個人である。販売者は、例えば、商品の販売店の経営者や社員である。販売者による商品の販売は、店舗等で行われても良いし、いわゆるショッピングサイト等のオンライン上の仮想店舗等で行われても良い。また、ここでの販売は、メールオーダーや、通信販売等で行われる販売でも良い。販売者端末１１は、例えば、コンピュータや携帯型情報端末等である。
【００２６】
取置商品識別情報取得部１１１は、ユーザが取り置きを指示した１以上の商品の識別情報である１以上の取置商品識別情報を取得する。取り置きとは、商品を、ユーザが、購入するか否かを決定するまで、他のユーザが購入できない状態にすることである。商品識別情報とは、商品を識別するための情報であり、商品名、商品のシリアル番号、商品コード等である。商品名は、販売店等が、１以上の商品に対して、付与した番号や名称等（例えば、Ａさんの取り置き商品等）であっても良い。ここでの商品は、１以上の商品で構成される商品群であっても良い。取置商品識別情報取得部１１１が、どのように取置商品識別情報を取得するかは問わない。例えば、販売者が、キーボード等の入力デバイス等を介して手入力した商品識別情報を取得（例えば、受け付け）しても良い。また、取置商品識別情報取得部１１１は、商品の値札等に付与されている商品識別情報が記録されたバーコード等を、図示しないバーコードリーダ等で読み出し、バーコードリーダが読み出した商品識別情報をバーコードリーダから取得しても良い。また、例えば、商品の販売が、インターネット通信販売サイト等のネットワーク上の商取引サイト等で行われる場合、ユーザが、上記のユーザ端末等の情報端末を介して、販売者の運営する商取引サイトに対して送信した、取り置きの対象となる商品の商品識別情報を、取置商品識別情報取得部１１１が、取置商品識別情報として取得（例えば、直接的あるいは間接的に受信）しても良い。ここでの取得とは、例えば、受付、受信、読み出し、生成等を含む概念である。かかることは以下においても同様である。
【００２７】
仮決済情報取得部１１２は、仮決済情報を取得する。仮決済情報は、取置商品識別情報に対応する１以上の商品の代金を示す代金情報と、商品の販売者の識別情報である販売者識別情報と、商品の取り置きを指示したユーザが商品を購入する際の決済に利用するカードである決済カードのカード識別情報とを有する情報である。代金情報は、通常は、取置商品識別情報が示す各商品の個別の代金の情報であるが、取置商品識別情報が、複数の商品で構成される商品群に対応する商品識別情報である場合、代金情報は、取り置かれた複数の商品の代金の合計を示す情報であってもよい。販売者識別情報は、販売者を識別可能な情報であり、例えば、販売者名や、販売者のコード等である。仮決済情報は、例えば、取り置きされた商品の代金の決済に必要な情報や、取り置きを行った販売者を特定するために必要な情報を有する情報である。
【００２８】
決済カードとは、商品購入時の決済に利用可能なカードであり、例えば、クレジットカードや、デビッドカードである。プリペイドカード等も決済カードと考えても良い。決済カードの識別情報とは、通常、カード番号（例えば、クレジットカード番号）であるが、カード番号と、セキュリティコード、名義人名、有効期限のうちの１以上との組合せ等であってもよい。
【００２９】
仮決済情報取得部１１２は、仮決済情報を構成する各情報をどのように取得しても良い。例えば、仮決済情報取得部１１２は、販売者等が、キーボード等の入力デバイス等を介して入力した商品の代金情報を取得（例えば受付）しても良いし、商品の値札等に付与されている商品の代金情報を示すバーコードを、図示しないバーコードリーダ等で読み出して、読み出した代金情報を取得しても良い。
【００３０】
また、仮決済情報取得部１１２は、販売者等が、キーボード等の入力デバイス等を介して入力した販売者識別情報を取得（例えば受付）しても良いし、図示しない記憶媒体等に予め格納されている販売者識別情報を読み出すことで取得しても良い。
【００３１】
また、仮決済情報取得部１１２は、キーボード等の入力デバイス等を介して、販売者や取り置きを指示したユーザが入力した、ユーザが取り置きを行う際等に提示した決済カードに表示されているカード識別情報を取得（例えば受付）しても良いし、ユーザが取り置き時等に提示した決済カードが有するカード識別情報が記録されたＲＦＩＤタグや、磁気テープ等から、カードリーダ等を用いて、カード識別情報を取得しても良い。また、例えば、商品の販売が、ネットワーク上の商取引サイト等で行われる場合、ユーザが、上記のユーザ端末等の情報端末を介して、販売者の運営する商取引サイトに対して送信したユーザの決済カードのカード識別情報を、取置商品識別情報取得部１１１が、取置商品識別情報として取得（例えば、直接的、あるいは間接的に受信）しても良い。また、仮決済情報取得部１１２は、顧客情報の一つとして、図示しない記憶媒体等に予め格納されている取り置きを行ったユーザの決済カードのカード識別情報を読み出すことで取得しても良い。
【００３２】
また、仮決済情報取得部１１２は、取得した仮決済情報についての決済指示（具体的には、仮決済情報の代金情報が示す代金についての決済指示）を受け付ける期限を示す情報である決済指示期限情報を更に取得するようにしても良い。決済指示期限情報は、商品の取り置きが可能な有効期限を示す情報と考えても良い。仮決済情報取得部１１２は、例えば、キーボード等の入力デバイス等を介して、販売者や取り置きを指示したユーザが入力した取り置きの期限となる日時の情報を、決済指示期限情報として取得しても良い。また、仮決済情報取得部１１２は、例えば、図示しない時計等から取得した現在の日時等の情報を用いて、予め指定された演算式等を用いて、決済指示期限情報を取得しても良い。例えば、現在の日時に、予め指定された日数を加算して決済指示期限情報を取得しても良い。なお、ここでの日時は、日付だけの情報であっても良い。かかることは以下においても同様である。
【００３３】
また、仮決済情報取得部１１２は、決済カードの暗証番号や、取り置きが行われた日時の情報等を更に含むようにしても良い。また、仮決済情報取得部１１２は、ユーザや販売者等によりキーボードやタッチパネル等を介して入力された、ユーザの名前、電話番号、住所等の、取り置きを指示したユーザを特定する際に利用される情報や、取り置きを指示したユーザに対して取り置きされた商品を送付したりする際に利用される情報を取得しても良い。ここでは、これらの情報を、ユーザ個人情報と呼ぶ。
【００３４】
仮決済情報送信部１１３は、仮決済情報取得部１１２が取得した仮決済情報を、決済処理装置１２に送信する。また、仮決済情報送信部１１３は、更に、仮決済情報取得部１１２が取得した決済指示期限情報を、仮決済情報取得部１１２が取得した仮決済情報と対応付けて、決済処理装置１２に送信するようにしてもよい。また、仮決済情報送信部１１３は、上述した取置商品識別情報取得部１１１が取得した取置商品識別情報を、この取置商品識別情報に対応する仮決済情報と対応付けて、決済処理装置１２に更に送信するようにしても良い。
【００３５】
仮決済情報送信部１１３は、通常、無線または有線の通信手段で実現されるが、放送手段で実現されても良い。仮決済情報送信部１１３は、通信デバイスを含むと考えても、含まないと考えても良い。かかることは、他の送信部、例えば、後述する仮決済識別情報送信部１２４や、決済完了情報送信部１２７、期限送信部１４０、取消通知部１４３、決済指示送信部１３３等、においても同様である。また、これらの送信部は、送信する情報の取得等を行うための処理を行うＭＰＵやメモリ等を有していても良い。
【００３６】
仮決済識別情報受信部１１４は、決済処理装置１２から送信される仮決済識別情報を受信する。具体的には、仮決済識別情報受信部１１４は、仮決済情報送信部１１３が送信した仮決済情報に応じて決済処理装置１２から送信される仮決済識別情報を受信する。仮決済識別情報については後述する。
【００３７】
仮決済識別情報受信部１１４は、通常、無線または有線の通信手段で実現されるが、放送を受信する手段で実現されても良い。仮決済識別情報受信部１１４は、通信デバイスを含むと考えても、含まないと考えても良い。かかることは、他の受信部、例えば、後述する決済完了情報受信部１１７、仮決済受信部１２１，決済指示受信部１２５、取消指示受信部１２８、等においても同様である。
【００３８】
取置情報格納部１１５には、取置情報が格納される。取置情報は、仮決済識別情報と、取置商品識別情報とを有する情報である。取置情報に含まれる仮決済識別情報は、仮決済情報送信部１１３が送信した仮決済情報に対応する仮決済識別情報である。取置情報に含まれる仮決済識別情報は、例えば、仮決済識別情報受信部１１４が受信した仮決済識別情報である。また、取置情報は、上述したユーザ個人情報を含むようにしてもよい。取置情報格納部１１５は、不揮発性の記録媒体が好適であるが、揮発性の記録媒体でも実現可能である。また、ここでの格納は、一時記憶であっても良い。かかることは，他の格納部においても同様である。
【００３９】
取置情報出力部１１６は、取置情報を出力する。取置情報出力部１１６が出力する取置情報は、取置商品識別情報取得部１１１が受信した取置商品識別情報と、仮決済情報送信部１１３が送信した仮決済情報に対応する仮決済識別情報と、を有する情報である。取置情報出力部１１６は、仮決済情報取得部１１２が取得したユーザ個人情報を更に含む取得情報を出力するようにしても良い。一の取置情報に含まれる取置商品識別情報と仮決済識別情報とは、一の商品についての取り置きが行われた場合の、取り置きの対象となった商品について取置商品識別情報取得部１１１が取得した取置商品識別情報と、この一の商品の取り置きの際に、仮決済情報送信部１１３が送信した仮決済情報を示す仮決済識別情報である。仮決済情報送信部１１３が送信した仮決済情報に対応する仮決済識別情報は、例えば、仮決済情報送信部１１３が送信した仮決済情報に応じて、仮決済識別情報受信部１１４が受信した仮決済識別情報である。
【００４０】
取置情報出力部１１６は、例えば、取置情報を取置情報格納部１１５に蓄積する。また、取置情報出力部１１６は、取置情報を図示しないモニタに表示したり、プリンタ等に出力しても良い。例えば、販売者が、販売者端末１１以外の他のデータベース等を利用して、取り置きされた商品の商品識別情報と、仮決済管理情報とを対応付けて管理する場合等においては、このデータベースに対して、取置情報を出力するようにしても良い。また、例えば、販売者が、印刷された取置情報を用いて、取り置きされた商品の管理を行う場合等においては、取置情報をプリンタ等で印刷するようにしても良い。
【００４１】
ここで述べる出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。取置情報出力部１１６は、ディスプレイやスピーカー等の出力デバイスを含むと考えても含まないと考えても良い。取置情報出力部１１６は、出力デバイスのドライバーソフトまたは、出力デバイスのドライバーソフトと出力デバイス等で実現され得る。
【００４２】
決済完了情報受信部１１７は、取置情報出力部１１６が出力した取置情報に含まれる仮決済識別情報に対応する仮決済情報に関する決済が完了したことを示す情報である決済完了情報を決済処理装置１２から受信する。例えば、決済完了情報受信部１１７は、取置情報出力部１１６が取置情報格納部１１５に蓄積した取置情報に含まれる仮決済識別情報に対応する決済完了情報を決済処理装置１２から受信する。仮決済情報に関する決済とは、具体的には、仮決済情報が有する代金情報が示す代金についての決済である。仮決済情報が有する代金情報が示す代金についての決済とは、仮決済識別情報が示す仮決済情報に対応する取り置きされた商品についての決済と考えても良い。決済完了情報は、取り置きされた商品についての決済が完了したことを示す情報と考えて良い。決済完了情報は、通常、仮決済識別情報と、この仮決済識別情報に対応する仮決済情報が有する代金情報が示す代金についての決済が完了したことを示す情報とを有する情報とを有する。決済が完了したことを示す情報は、例えば、決済が完了したことを示す値を有するフラグ等の情報である。あるいは、決済が完了したことを示す情報を省略して、決済完了情報受信部１１７が決済処理装置１２から受信する仮決済識別情報を、決済完了情報と考えても良い。例えば、決済完了情報受信部１１７が一の仮決済識別情報を決済処理装置１２から受信した場合、この仮決済識別情報に対応する仮決済情報についての決済が完了したことを示す決済完了情報を受信したと判断するようにしても良い。
【００４３】
また、決済完了情報受信部１１７は、取置情報格納部１１５に蓄積されている仮決済識別情報が示す仮決済情報が削除されたことを示す情報である取消通知情報を決済処理装置１２から受信するようにしてもよい。取消通知情報については、後述する。
【００４４】
決済完了情報出力部１１８は、決済完了情報受信部１１７が受信した決済完了情報に関する情報を出力する。決済完了情報に関する情報とは、例えば、決済完了情報に含まれる仮決済識別情報を含む情報である。例えば、決済完了情報に含まれる仮決済識別情報を、決済が完了した商品に対応する仮決済識別情報として出力することである。例えば、決済完了情報出力部１１８が出力する仮決済識別情報によって、商品の取り置きを行った販売者は、取置情報格納部１１５に格納されている取置情報のうちの、決済完了情報出力部１１８が出力する仮決済識別情報を含む取置情報が有する取置商品識別情報が示す取り置きされた商品についての決済が完了した（即ち、取り置きされた商品が売れた）ことを知ることが可能となる。また、決済完了情報出力部１１８は、取置情報格納部１１５に格納されている取置情報の中から、決済完了情報に含まれる仮決済識別情報を含む取置情報が有する取置商品識別情報を検索等により取得して、この取置商品識別情報を決済完了情報に関する情報として出力するようにしても良い。この場合、販売者は、この取置商品識別情報に対応する商品についての決済が完了したことを知ることができる。なお、決済完了情報出力部１１８は、決済完了情報に含まれる仮決済識別情報を含む取置情報が有する取置商品識別情報とユーザ個人情報の少なくとも一部とを出力するようにしてもよい。あるいは、取置情報が有するユーザ個人情報の少なくとも一部だけを出力するようにしても良い。
【００４５】
また、決済完了情報出力部１１８は、決済完了情報と同様に、決済完了情報受信部１１７が受信した取消通知情報に関する情報を出力しても良い。例えば、決済完了情報出力部１１８は、取消通知情報に関する情報として、取消通知情報に含まれる仮決済識別情報を出力してもよい。また、決済完了情報出力部１１８は、取置情報格納部１１５に格納されている取置情報の中から、取消通知情報に含まれる仮決済識別情報を含む取置情報が有する取置商品識別情報を検索等により取得して、この取置商品識別情報を取消通知情報に関する情報として出力するようにしても良い。
【００４６】
ここで述べる出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。決済完了情報出力部１１８は、ディスプレイやスピーカー等の出力デバイスを含むと考えても含まないと考えても良い。決済完了情報出力部１１８は、出力デバイスのドライバーソフトまたは、出力デバイスのドライバーソフトと出力デバイス等で実現され得る。
【００４７】
決済処理装置１２は、例えば、決済カードを用いた決済サービスの提供者等が利用する装置であり、具体例としては、クレジットカード会社等がサービスの提供に利用するサーバ装置である。例えば、取り置きされた商品を管理したり、取り置きされた商品についての決済を行う際に必要な情報を管理する装置である。販売者端末１１は、例えば、コンピュータや、サーバ装置等である。
【００４８】
仮決済受信部１２１は、仮決済情報を受信する。仮決済情報は、上述したように、ユーザが取り置きを指示した１以上の商品の代金を示す代金情報と、商品の販売者の識別情報である販売者識別情報と、商品の取り置きを指示したユーザが、商品を購入する際の決済に利用するカードである決済カードのカード識別情報と、を有する情報である。仮決済受信部１２１は、通常、販売者端末１１の仮決済情報送信部１１３が送信する仮決済情報を受信する。また、仮決済受信部１２１は、仮決済情報送信部１１３が仮決済情報と対応付けて送信する決済指示期限情報を更に受信しても良い。また、仮決済受信部１２１は、仮決済情報送信部１１３が仮決済情報と対応付けて送信する商品識別情報を更に受信しても良い。
【００４９】
仮決済管理情報格納部１２２には、仮決済情報と、この仮決済情報を識別する情報である仮決済識別情報とを有する１以上の仮決済管理情報が格納される。仮決済管理情報に格納される仮決済情報は、通常、仮決済受信部１２１が受信した仮決済情報である。仮決済情報に対応する仮決済識別情報をどのように取得するかについては後述する。本実施の形態における仮決済とは、例えば、取り置きした商品についての、決済を行うか否かが確定するまでの状態、言い換えれば決済待ちの状態を意味すると考えて良い。仮決済とは、決済を行うために必要となる情報（例えば、代金情報や、決済カードのカード識別情報等）を取得済の状態であって、決済を行う指示（あるいは決済を行わない指示）を待っている状態と考えても良い。仮決済識別情報とは、仮決済の状態となっている商取引の案件（例えば、商品）についての識別情報と考えても良い。また、仮決済識別情報を、取り置きされた案件を識別するための情報と考えても良い。また、仮決済管理情報は、仮決済受信部１２１が受信した取置商品識別情報をさらに有するようにしてもよい。
【００５０】
また、仮決済管理情報格納部１２２には、仮決済識別情報が示す仮決済情報に関する決済指示を受け付ける期限を示す情報である決済指示期限情報を更に有する仮決済管理情報が格納されてもよい。仮決済情報に関する決済指示とは、具体的には、仮決済情報が有する代金情報が示す代金についての決済指示である。仮決済情報に関する決済指示を、仮決済情報に対応する商品についての決済と考えても良い。
【００５１】
仮決済管理情報蓄積部１２３は、仮決済受信部１２１が受信した仮決済情報を識別する仮決済識別情報を取得し、取得した仮決済識別情報と、仮決済情報とを有する仮決済管理情報を、仮決済管理情報格納部１２２に蓄積する。仮決済管理情報蓄積部１２３が仮決済識別情報をどのように取得するかは問わない。例えば、仮決済管理情報蓄積部１２３は、予め指定されたルール等に従って、仮決済受信部１２１が受信した仮決済情報についての仮決済識別情報を取得して、取得した仮決済識別情報と、仮決済受信部１２１が受信した仮決済情報とを有する仮決済管理情報を仮決済管理情報格納部１２２に蓄積する。予め指定されたルールは、例えば、連番や、仮決済情報を受信した日時（あるいは、取り置きが行われた日時）等や、仮決済情報に含まれる販売者識別情報に連番や仮決済情報を受信した日時（あるいは、取り置きが行われた日時）等を付与して得られる情報を、仮決済識別情報として取得するというルールである。
【００５２】
また、仮決済管理情報蓄積部１２３は、仮決済受信部１２１が受信した仮決済情報についての決済指示期限情報を取得して、取得した仮決済指示期限情報と、仮決済識別情報と、仮決済情報とを有する仮決済管理情報を、仮決済管理情報格納部１２２に蓄積するようにしても良い。仮決済管理情報蓄積部１２３が決済指示期限情報をどのように取得するかは問わない。
【００５３】
例えば、仮決済受信部１２１が仮決済情報とともに受信した決済指示期限情報を、この仮決済情報に対応する決済指示期限情報として取得するようにしても良い。
【００５４】
また、仮決済管理情報蓄積部１２３は、例えば、図示しない記憶媒体等に予め格納されている決済の期限を示す決済指示期限情報を、この記憶媒体から読み出してもよい。また、仮決済管理情報蓄積部１２３は、取り置きが行われた日、仮決済情報の送信日、または仮決済情報の受信日等の日付と、予め指定されたルール（例えば、予め指定された日数を、取り置きが行われた日等の基礎となる日付に加算するルール）とを用いて取得した期限を、決済期限情報として取得しても良い。このルールは、仮決済情報に含まれる販売者識別情報に関係なく予め指定されている一のルールであっても良いし、仮決済情報に含まれる販売者識別情報毎に異なるルールであってもよい。例えば、決済指示期限情報を取得するためのルールと、販売者識別情報とを対応付けて有する情報である期限ルール情報を予め図示しない記憶媒体等に蓄積しておくようにし、仮決済受信部１２１が仮決済情報を受信した場合に、この仮決済情報に含まれる販売者識別情報に対応するルールを、期限ルール情報の中から検索により取得し、取得したルールを用いて、取り置きが行われた日や、仮決済情報の送信日や、仮決済情報の受信日等を用いて決済指示期限情報を取得しても良い。このルールは、販売者が個別に設定したルールであってもよい。
【００５５】
また、仮決済管理情報蓄積部１２３は、取り置きが行われた日時や、仮決済情報が送信された日時や、仮決済情報を受信した日時や、仮決済情報が蓄積された日時の情報等を更に有する仮決済管理情報を、仮決済管理情報格納部１２２に蓄積するようにしても良い。
【００５６】
なお、仮決済管理情報蓄積部１２３は、仮決済識別情報を取得する際に、仮決済受信部１２１が受信した仮決済情報を用いて、利用残高の照会をしても良い。なお、仮決済情報を用いて、とは、本実施の形態においては、仮決済情報の少なくとも一部を用いることであるとする。具体的には、仮決済情報のカード識別情報と、代金情報とを用いて、カード識別情報が示す決済カードの残高が、代金情報が示す代金以上であるか否かを判断し、代金以上であれば、利用残高があると判断し、代金未満であれば、利用残高が不足であると判断する。そして、利用残高があると判断した場合にだけ、仮決済識別情報を取得して、仮決済管理情報を蓄積するようにし、利用残高が不足である場合は、仮決済管理情報を蓄積しない。さらに、利用残高が不足である場合、仮決済情報の送信元となる販売者端末１１に対して、利用残高が不足していることを示す情報を、決済完了情報送信部１２７等から送信させるようにしても良い。
【００５７】
仮決済識別情報送信部１２４は、例えば、仮決済管理情報蓄積部１２３が取得した仮決済識別情報を、仮決済識別情報が示す仮決済情報の販売者識別情報が示す販売者に対応する通知先に送信する。販売者識別情報が示す販売者に対応する通知先への送信とは、例えば、販売者識別情報が示す販売者が利用する販売者端末１１に送信することである。仮決済識別情報送信部１２４は、例えば、仮決済識別情報が示す仮決済情報に含まれる販売者識別情報を取得し、この販売者識別情報が示す販売者が利用する販売者端末１１を送信先に指定する情報を取得して、この情報を用いて、販売者端末１１に仮決済識別情報を送信する。例えば、販売者端末１１を送信先に指定する情報は、例えば、販売者端末１１のアドレス情報である。アドレス情報は、ＩＰアドレス、ＭＡＣアドレス、メールアドレス等である。かかることは以下においても同様である。例えば、仮決済識別情報送信部１２４は、予め図示しない記憶媒体等に格納されている販売者識別情報と、この販売者識別情報が示す販売者が利用する販売者端末１１のアドレス情報とを有する情報である販売者アドレス管理情報を用いて、検索により販売者識別情報に対応するアドレス情報を取得し、このアドレス情報に仮決済識別情報を送信する。なお、販売者識別情報が、販売者端末のアドレス情報である場合には、このアドレス情報が示す送信先に仮決済識別情報を送信するようにしてもよい。また、ここでは、販売者識別情報が示す販売者に対応する通知先に仮決済識別情報を送信することが、販売者識別情報が示す販売者が利用する販売者端末１１に送信することである場合を例に挙げて説明したが、販売者識別情報が示す販売者に仮決済識別情報を送信することは、例えば、販売者等が指定する販売者端末１１以外の販売者が利用する情報処理端末（例えば、コンピュータや、携帯電話や、スマートフォンや、携帯情報端末等）に送信することであってもよい。この場合も、例えば、上記と同様の販売者アドレス管理情報を用いて、通知先のアドレス情報を取得するようにすればよい。
【００５８】
また、仮決済識別情報送信部１２４は、例えば、仮決済管理情報蓄積部１２３が取得した仮決済識別情報を、仮決済識別情報が示す仮決済情報のカード識別情報が示す決済カードのユーザに対応する通知先に送信する。カード識別情報が示す決済カードのユーザに対応する通知先への送信とは、例えば、カード識別情報が示す決済カードのユーザが利用する販売者端末１１に送信することである。仮決済識別情報送信部１２４は、例えば、仮決済識別情報が示す仮決済情報に含まれるカード識別情報を取得し、このカード識別情報が示す決済カードのユーザが利用するユーザ端末１３を送信先に指定する情報を取得して、この情報を用いて、ユーザ端末１３に仮決済識別情報を送信する。例えば、ユーザ端末１３を送信先に指定する情報は、例えば、ユーザ端末１３のアドレス情報である。例えば、仮決済識別情報送信部１２４は、予め図示しない記憶媒体等に格納されているカード識別情報と、このカード識別情報が示す決済カードのユーザが利用するユーザ端末１３のアドレス情報とを有する情報であるユーザアドレス管理情報を用いて、検索によりカード識別情報に対応するアドレス情報を取得し、このアドレス情報に仮決済識別情報を送信する。ここでは、カード識別情報が示す決済カードのユーザに対応する通知先に仮決済識別情報を送信することが、カード識別情報が示す決済カードのユーザが利用するユーザ端末１３に送信することである場合を例に挙げて説明したが、カード識別情報が示す決済カードのユーザに対応する通知先に仮決済識別情報を送信することは、例えば、ユーザ等が指定するユーザ端末１３以外のユーザが利用する情報処理端末（例えば、コンピュータや、携帯電話や、スマートフォンや、携帯情報端末等）に送信することであってもよい。この場合も、上記と同様のユーザアドレス管理情報を用いて、通知先のアドレス情報を取得すればよい。
【００５９】
なお、取得商品識別情報等を仮決済識別情報として利用する場合のように、商品の取り置きを行った販売者と、取り置きを指示したユーザとが、決済処理装置１２を介さずに仮決済識別情報を取得可能な場合には、仮決済識別情報送信部１２４は省略してもよい。
【００６０】
また、取り置きを指示したユーザが、取り置きを行った販売者から、取り置きを行った商品についての仮決済識別情報の通知を受ける場合等においては、仮決済識別情報送信部１２４は、ユーザに対応する通知先に仮決済識別情報を送信しなくて良い。
【００６１】
決済指示受信部１２５は、決済指示を受信する。決済指示は、１以上の仮決済識別情報が示す仮決済情報に関する決済を行う指示である。仮決済情報に関する決済を行う指示とは、具体的には、仮決済情報が有する代金情報が示す代金の決済を行う指示である。仮決済情報に関する決済を行う指示を、仮決済情報に対応する商品についての決済の指示と考えても良い。かかることは以下においても同様である。決済指示受信部１２５は、例えば、ユーザ端末１３から、決済指示を受信する。決済指示は、例えば、１以上の仮決済識別情報（具体的には、決済の対象となる代金情報を有する仮決済情報を示す仮決済識別情報）を有する。また、決済指示は、更に、決済を実行させるための命令等を有していてもよい。ただし、仮決済識別情報の受信を、この仮決済識別情報が示す仮決済情報についての決済指示の受信と考えるようにしてもよい。
【００６２】
決済処理部１２６は、決済指示受信部１２５が受信した決済指示に応じて、１以上の仮決済識別情報が示す仮決済情報に関する決済を行う。１以上の仮決済識別情報とは、決済指示が指定する仮決済識別情報である。仮決済情報に関する決済とは、具体的には、仮決済情報が有する代金情報が示す代金の決済である。仮決済情報に関する決済を、仮決済情報に対応する商品についての決済と考えても良い。かかることは以下においても同様である。決済処理部１２６は、例えば、決済指示受信部１２５が受信した決済指示が有する仮決済識別情報が示す仮決済情報に含まれる代金情報と、カード識別情報と、販売者識別情報とを用いて決済を行う。決済を行うということは、例えば、カード識別情報が示す決済カードを利用するユーザに、代金情報が示す代金を請求し、代金情報が示す代金を、販売者識別情報が示す販売者に支払う処理である。ただし、結果的にこのような処理が確実に実行されるよう、決済指示が示す仮決済識別情報が示す仮決済情報カード識別情報と、代金情報と、販売者識別情報とを、予め用意されている決済済のカード識別情報と、代金情報と、販売者識別情報とを管理するデータベース（図示せず）等に出力（例えば、登録）することであってもよい。あるいは、決済指示受信部１２５が受信した決済指示が有する仮決済識別情報が示す仮決済情報に含まれる決済処理に必要な代金情報、カード識別情報、販売者識別情報等の情報を、決済処理を行うことが確定した商品についての代金情報、カード識別情報、販売者識別情報等の情報として出力すること等と考えても良い。なお、決済カードを用いた決済処理については、公知の技術であるので、ここでは、詳細な説明は省略する。
【００６３】
決済完了情報送信部１２７は、決済処理部１２６が決済を完了した場合に、決済完了情報を送信する。決済完了情報は、決済指示受信部１２５が受信した決済指示が示す（即ち、決済指示が決済を行うことを指示する）１以上の仮決済識別情報が示す仮決済情報に関する決済を、決済処理部１２６が完了したことを示す情報である。仮決済情報に関する決済とは、具体的には、仮決済情報に含まれる代金情報が示す代金についての決済のことである。決済完了情報は、通常、決済を行った仮決済情報を示す仮決済識別情報を有している。決済完了情報は、決済が完了した旨のテキスト等の情報や、決済された代金情報や、決済日等の情報を有していても良い。決済完了情報送信部１２７は、決済完了情報を、決済指示受信部１２５が受信した決済指示が示す仮決済識別情報が示す仮決済情報の販売者識別情報が示す販売者に対応する通知先に送信する。販売者に対応する通知先に送信する、ということは、例えば、販売者が利用する販売者端末１１に送信することである。販売者端末１１のアドレス情報を取得する処理等は、仮決済識別情報送信部１２４が販売者端末１１のアドレス情報を取得する処理等と同様である。また、販売者端末１１の代わりに、販売者の利用する他の情報処理端末に決済が完了したことを示す情報を送信してもよい。
【００６４】
取消指示受信部１２８は、１以上の仮決済識別情報が示す仮決済情報に関する決済を行わないことを示す情報である取消情報を受信する。取消情報は、例えば、商品についての取り置きを取り消す情報と考えて良い。取消情報は、具体的には、取消の対象となる代金情報を含む仮決済情報を示す仮決済識別情報を含む情報である。また、取消情報は、取消を指示する命令等の情報を有していても良い。ただし、取消指示受信部１２８が、仮決済識別情報を受信したことを、この仮決済識別情報が示す仮決済情報の有する代金情報についての取消指示であると判断するようにしても良い。取消指示受信部１２８が受信する取消指示は、例えば、ユーザ端末１３の決済指示送信部１３３が送信する取消指示である。
【００６５】
期限判断部１２９は、現在の日付を取得し、仮決済管理情報格納部１２２に格納されている決済指示期限情報が示す期限と、現在の日付との差が、予め指定された日数以下であるか否かを判断する。予め指定された日数とは、例えば、現在の日付が、決済指示期限情報が示す取り置きの期限に近づいた日付か否かを判断するために指定された日数である。通常は、１以上の日数が指定される。なお、ここでは、予め指定された日数以下であるか否かの判断は、予め指定された日数未満であるか否かの判断も含む概念であると考える。比較の対象となる日数の設定によって、結果的に同じ比較結果が得られるからである。予め指定された日数は、決済指示期限情報に対応する仮決済情報が含む販売者識別情報毎に異なる日数であっても良いし、販売者識別情報間で共通の日数であっても良い。異なる日数の場合、例えば、予め、日数と販売者識別情報とを対応付けて有する情報を用意しておくようにして、この情報から、一の決済指示期限情報に対応する仮決済情報が含む販売者識別情報に対応する日数を検索により取得するようにすればよい。また、この日数は、仮決済情報毎に販売者等により指定された日数であっても良い。
【００６６】
期限送信部１４０は、期限判断部１２９が予め指定された日数以下であると判断した場合に、判断の対象となった決済指示期限情報と対応付けられた仮決済識別情報が示す仮決済情報のカード識別情報が示す決済カードのユーザに対応する通知先に、仮決済識別情報が示す仮決済情報の代金についての決済指示を受け付ける期限が近づいていることを示す情報を送信する。期限が近づいていることを示す情報は、例えば、判断の対象となった決済指示期限情報と対応付けられた仮決済識別情報を含む情報である。また、期限が近づいていることを示す情報は、期限が近づいていることを示すテキスト等の情報や、決済指示期限情報が示す期限の日付等の情報を有していても良い。決済カードのユーザに対応する通知先に送信する、ということは、例えば、決済カードのユーザが利用するユーザ端末１３に送信することである。ユーザ端末１３のアドレス情報を取得する処理等は、仮決済識別情報送信部１２４がユーザ端末１３のアドレス情報を取得する処理等と同様である。また、ユーザ端末１３の代わりに、ユーザ端末１３が利用する他の情報処理端末に決済が完了したことを示す情報を送信してもよい。
【００６７】
決済取消処理部１４１は、取消指示受信部１２８が受信した取消指示に応じて、１以上の仮決済識別情報に対応する仮決済情報を削除する。決済取消処理部１４１は、取消指示が有する仮決済識別情報が示す仮決済情報を削除する。仮決済識別情報に対応する仮決済情報を削除するということは、例えば、仮決済識別情報に対応する仮決済情報を削除することや、仮決済識別情報に対応する仮決済情報を含む仮決済管理情報を削除することや、仮決済識別情報に対応する仮決済情報を含む仮決済管理情報に削除されたことを示すフラグ等の情報や、処理済であることを示すフラグ等の情報を付与することである。かかることは、以下においても同様である。なお、削除した仮決済情報は、その後の処理で利用可能となるように、図示しない記憶媒体等に一時記憶するようにしても良い。また、仮決済情報を削除することは、仮決済情報を決済の対象から除外することと考えても良い。
【００６８】
また、決済取消処理部１４１は、決済指示期限情報が示す期限を過ぎた仮決済情報を削除する。具体的には、決済取消処理部１４１は、図示しない時計等から現在の日付を取得し、現在の日付が、決済指示期限情報が示す期限を過ぎたか否かを判断する。過ぎたか否かの判断は、例えば、決済指示期限情報が示す期限（期日）から、現在の日付を減算した値が、０未満であるか否かを判断し、０未満であれば、決済指示期限情報が示す期限を過ぎたと判断し、それ以外は、過ぎていないと判断する。そして、期限を過ぎていると判断された場合、この決済指示期限情報に対応する仮決済情報を、上記と同様に、削除する。
【００６９】
取消料処理部１４２は、決済取消処理部１４１が削除した仮決済情報を用いて、仮決済情報に含まれるカード識別情報が示す決済カードから、仮決済情報に含まれる販売者識別情報が示す販売者に対して、取消料の決済を行う。取消料を決済する処理は、決済処理部１２６が、一の仮決済情報が有する代金情報が示す代金の決済を、この仮決済情報が有するカード識別情報が示す決済カードから決済する処理と同様である。
【００７０】
取消料は、一律の料金であっても良いし、販売者毎に個別に設定されている料金であっても良い。例えば、販売者識別情報と、取消料を指定する情報とを有する取消料管理情報が、予め図示しない記憶媒体等に格納されているようにして、決済取消処理部１４１は、削除した仮決済情報が有する販売者識別情報に対応する取消料を指定する情報を、この取消料管理情報から検索により取得し、取得した取消料を指定する情報が示す取消料を取得するようにすればよい。取消料を指定する情報は、取消料そのものであっても良いし、取消料を取得するためのルールや、取消料を算出するための式やパラメータ等であっても良い。例えば、取消料を指定する情報は、代金情報が示す代金に対する予め指定された比率を取消料として指定する情報である。この場合、決済取消処理部１４１は、削除された仮決済情報に含まれる代金情報が示す代金に、取消料を指定する情報である比率を乗算することで取消料を取得する。また、例えば、販売者端末１１の仮決済情報取得部１１２が、仮決済情報を取得する際に、販売者等が図示しない入力デバイス等を介して入力した取消料を指定する情報を取得するようにし、仮決済情報送信部１１３が、この取消料を指定する情報を仮決済情報と対応付けて、決済処理装置１２に送信するようにする。仮決済受信部１２１が仮決済情報とともに受信した取消料を指定する情報を、仮決済管理情報蓄積部１２３が取得して仮決済管理情報に蓄積するようにする。そして、決済取消処理部１４１は、削除した仮決済情報に対応付けられた取消料を指定する情報を、仮決済管理情報から読み出して、読み出した取消料を指定する情報が示す取消料を取得するようにしてもよい。
【００７１】
また、取消料は、取消が行われた日から、決済指示期限情報が示す期限（期日）までの日数によって、変化する料金体系であっても良い。例えば、日数が減るほど、段階的に取消料が増加する料金体系であっても良い。例えば、決済指示期限情報が示す期日までの日数と、取消料を指定する情報とを対応付けた日数別取消料管理情報を、図示しない記憶媒体等に予め格納しておくようにし、取消が行われた場合に、決済取消処理部１４１は、取り消しにより削除された仮決済情報に対応する決済指示期限情報が示す期限取消日から、取消日を除算し、取得された日数に対応する取消料を指定する情報を、日数別取消料管理情報から取得して、この取消料を指定する情報を用いて取消料を取得するようにすればよい。
【００７２】
取消通知部１４３は、一の仮決済情報が削除された場合に、この削除された仮決済情報の販売者識別情報が示す販売者に対応する通知先に、取消通知情報を送信する。取消通知情報は、削除された仮決済情報を示す仮決済識別情報を有する情報であって、この仮決済識別情報が示す仮決済情報が削除されたことを示す情報である。決済完了情報は、削除された旨のテキスト等の情報や、取消日等の情報を有していても良い。また、取消料が決済された場合、決済された取消料の情報を含むようにしてもよい。取消通知部１４３が取消通知情報を販売者（例えば、販売者端末１１）に送信する処理は、決済完了情報送信部１２７が決済完了情報を、決済が完了した仮決済情報の販売者識別情報が示す販売者（例えば、販売者端末１１）に送信する処理と同様である。
【００７３】
ユーザ端末１３は、商品の取り置きを行うユーザが利用する情報処理端末である。ユーザ端末１３は、例えば、コンピュータ、携帯電話、スマートフォン、携帯型情報端末等である。
【００７４】
ユーザ側受信部１３１は、決済処理装置１２から送信される仮決済識別情報を受信する。なお、ただし、ユーザが、取り置きした商品に関する仮決済識別情報を、販売者等から口頭等で取得する場合等においては、決済処理装置１２から仮決済識別情報を受信する必要がないため、ユーザ側受信部１３１は省略可能である。
【００７５】
決済指示受付部１３２は、仮決済識別情報に対する決済指示を受け付ける。決済指示受付部１３２は、例えば、ユーザ側受信部１３１が受信した仮決済識別情報に対する決済指示を受け付ける。決済指示受付部１３２は、通常、仮決済識別情報を有する決済指示を受け付ける。例えば、決済指示受付部１３２は、ユーザが決済を指示する（即ち、購入を指示する）取り置きした商品に対応した仮決済識別情報を有する決済指示を受け付ける。
【００７６】
また、決済指示受付部１３２は、１以上の仮決済識別情報が示す仮決済情報に関する決済を行わないことを示す取消情報を受け付けるようにしても良い。決済指示受付部１３２は、例えば、ユーザ側受信部１３１が受信した仮決済識別情報に対する取消指示を受け付ける。決済指示受付部１３２は、通常、仮決済識別情報を有する取消指示を受け付ける。例えば、決済指示受付部１３２は、取消の対象となる商品に対応した仮決済識別情報を有する取消指示を受け付ける。
【００７７】
ここでの、受け付けとは、キーボードやマウス、タッチパネルなどの入力デバイスから入力された情報の受け付け、有線もしくは無線の通信回線を介して送信された情報の受信などを含む概念である。
【００７８】
決済指示や取消指示の入力手段は、キーボードやマウスやタッチパネルやメニュー画面によるもの等、何でも良い。仮決済指示受付部１３２は、テンキーやキーボード等の入力手段のデバイスドライバーや、メニュー画面の制御ソフトウェア等で実現され得る。
【００７９】
決済指示送信部１３３は、決済指示受付部１３２が受け付けた決済指示を、決済処理装置１２に送信する。また、決済指示受付部１３２が受け付けた取消指示を、決済処理装置１２に送信するようにしてもよい。
【００８０】
ユーザ側出力部１３４は、ユーザ側受信部１３１が受信した仮決済識別情報を出力する。ここで述べる出力とは、ディスプレイへの表示、プリンタへの印字、外部の装置への送信、記録媒体への蓄積、他の処理装置や他のプログラムなどへの処理結果の引渡しなどを含む概念である。ユーザ側出力部１３４は、ディスプレイやスピーカー等の出力デバイスを含むと考えても含まないと考えても良い。ユーザ側出力部１３４は、出力デバイスのドライバーソフトまたは、出力デバイスのドライバーソフトと出力デバイス等で実現され得る。
【００８１】
次に、決済処理システム１の販売者端末１１の動作の一例について図２のフローチャートを用いて説明する。
【００８２】
（ステップＳ１００）販売者端末１１は、取り置きされる商品があるか否かを判断する。例えば、図示しない受付部等が、取り置きされる商品についての情報を登録する指示等を受け付けた場合に、取り置きされる商品があると判断する。取り置きがある場合、ステップＳ１０１に進み、取り置きがない場合、ステップＳ１０６に進む。
【００８３】
（ステップＳ１０１）取置商品識別情報取得部１１１は、取り置きされる商品についての取置商品識別情報を取得する。取得した場合、ステップＳ１０２に進み、取得していない場合、ステップＳ１０６に進む。
【００８４】
（ステップＳ１０２）仮決済情報取得部１１２は、ステップＳ１０１で取得した取置商品識別情報が示す商品についての仮決済情報を取得する。
【００８５】
（ステップＳ１０３）仮決済情報送信部１１３は、ステップＳ１０２で取得した仮決済情報を決済処理装置１２に送信する。仮決済情報送信部１１３は、更に、ステップＳ１０１で取得した取得商品識別情報も、仮決済情報と対応付けて決済処理装置１２に送信するようにしても良い。
【００８６】
（ステップＳ１０４）仮決済識別情報受信部１１４は、仮決済識別情報を受信したか否かを判断する。この仮決済識別情報は、ステップＳ１０３で送信した仮決済情報に応じて決済処理装置１２から送信される仮決済識別情報である。受信した場合、ステップＳ１０５に進み、受信していない場合、ステップＳ１０４に戻る。なお、仮決済識別情報受信部１１４は、決済処理装置１２から仮決済識別情報とともに送信される決済指示期限情報等も受信するようにしても良い。
【００８７】
（ステップＳ１０５）取置情報出力部１１６は、ステップＳ１０１で取得した取置商品識別情報と、ステップＳ１０４で受信した仮決済識別情報とを有する取置情報を生成して出力する。例えば、取置情報出力部１１６は、配置情報を取置情報格納部１１５に蓄積する。なお、取置情報出力部１１６は、上記の代わりに、仮決済識別情報ともに受信した決済指示期限情報を更に含む取置情報を生成して出力するようにしても良い。そして、ステップＳ１００に戻る。
【００８８】
（ステップＳ１０６）決済完了情報受信部１１７は、決済完了情報を受信したか否かを判断する。受信した場合、ステップＳ１０７に進み、受信していない場合、ステップＳ１０８に進む。
【００８９】
（ステップＳ１０７）決済完了情報出力部１１８は、ステップＳ１０６で受信した決済完了情報に関する情報を出力する。そして、ステップＳ１００に戻る。
【００９０】
（ステップＳ１０８）決済完了情報受信部１１７は、取消通知情報を受信したか否かを判断する。受信した場合、ステップＳ１０９に進み、受信していない場合、ステップＳ１００に戻る。
【００９１】
（ステップＳ１０９）決済完了情報出力部１１８は、ステップＳ１０８で受信した取消通知情報に関する情報を出力する。そして、ステップＳ１００に戻る。
【００９２】
なお、図２のフローチャートにおいて、電源オフや処理終了の割り込みにより処理は終了する。
【００９３】
次に、決済処理システム１の決済処理装置１２の動作について図３のフローチャートを用いて説明する。
【００９４】
（ステップＳ２０１）仮決済受信部１２１は、販売者端末１１から送信される仮決済情報を受信したか否かを判断する。受信した場合、ステップＳ２０２に進み、受信していない場合、ステップＳ２０６に進む。なお、仮決済受信部１２１は、仮決済情報とともに送信される取置商品識別情報等も受信するようにして良い。
【００９５】
（ステップＳ２０２）仮決済受信部１２１は、ステップＳ２０１で受信した仮決済情報について仮決済識別情報を取得する。
【００９６】
（ステップＳ２０３）仮決済管理情報蓄積部１２３は、ステップＳ２０１で受信した仮決済情報が有する販売者識別情報に対応した決済指示期限情報を取得する。例えば、予め図示しない記憶手段等に格納されている販売者識別情報と、決済指示期限情報を設定するためのルールを示す情報とを有する期限ルール情報を、図示しない記憶媒体等に予め格納しておくようにして、この期限ルール情報から、仮決済情報が有する販売者識別情報に対応した決済指示期限情報を設定するためのルールを示す情報を取得する。例えば、この決済指示期限情報を設定するためのルールを示す情報は、現在の日付（あるいは、販売者端末１１が仮決済情報を取得した日付）に対して、予め指定された日数後を決済指示期限情報が示す期限（期日）に設定するルールである。そして、このルールに従って、仮決済管理情報蓄積部１２３は、販売者識別情報に対応した決済指示期限情報を取得する。
【００９７】
（ステップＳ２０４）仮決済管理情報蓄積部１２３は、ステップＳ２０１で受信した仮決済情報と、ステップＳ２０２で取得した仮決済識別情報と、ステップＳ２０３で取得した決済指示期限情報とを有する仮決済管理情報を仮決済管理情報格納部１２２に蓄積する。既に、他の仮決済管理情報が蓄積されている場合、仮決済管理情報蓄積部１２３は、新たな仮決済管理情報を追記する。また、上記の仮決済管理情報の代わりに、仮決済受信部１２１が受信した取置商品識別情報等を更に有する仮決済管理情報を蓄積するようにしても良い。
【００９８】
（ステップＳ２０５）仮決済識別情報送信部１２４は、ステップＳ２０２で取得した仮決済識別情報を、仮決済情報の送信元となる販売者端末１１に送信する。また、仮決済識別情報送信部１２４は、ステップＳ２０２で取得した仮決済識別情報を、仮決済情報に含まれるカード識別情報が示す決済カードのユーザのユーザ端末１３に送信する。仮決済識別情報を送信する際に、ステップＳ２０３で取得した決済指示期限情報や、取置商品識別情報等も、仮決済識別情報と対応付けて販売者端末１１およびユーザ端末１３に送信するようにしてもよい。そして、ステップＳ２０１に戻る。
【００９９】
（ステップＳ２０６）決済指示受信部１２１は、ユーザ端末１３から送信される決済指示を受信したか否かを判断する。ここでの決済指示は、例えば、決済の対象となる仮決済情報を示す仮決済識別情報を有する決済指示であるとする。決済指示を受信した場合、ステップＳ２０７に進み、受信していない場合、ステップＳ２１０に進む。
【０１００】
（ステップＳ２０７）決済処理部１２６は、ステップＳ２０６で受信した決済指示に対応する仮決済情報を読み出す。決済処理部１２６は、具体的には、ステップＳ２０６で受信した決済支持に含まれる仮決済識別情報と一致する仮決済識別情報を有する仮決済管理情報に含まれる仮決済情報を、仮決済管理情報格納部１２２から読み出す。
【０１０１】
（ステップＳ２０８）決済処理部１２６は、ステップＳ２０７で読み出した仮決済情報を用いて、この仮決済情報に関する決済を行う。具体的には、ステップＳ２０７で読み出した仮決済情報に含まれるカード識別情報と、代金情報と、販売者識別情報とを用いて決済を行う。決済の処理については、公知の技術であるので詳細な説明は省略する。
【０１０２】
（ステップＳ２０９）決済完了情報送信部１２７は、ステップＳ２０６で受信した決済指示に含まれる仮決済識別情報を有する決済完了情報を、ステップＳ２０７で読み出した仮決済情報に含まれる販売者識別情報が示す販売者、具体的には、販売者識別情報が示す販売者端末１１に送信する。そして、ステップＳ２０１に戻る。
【０１０３】
（ステップＳ２１０）決済指示受信部１２５は、ユーザ端末１３から送信される取消指示を受信したか否かを判断する。ここでの取消指示は、例えば、削除する仮決済情報を示す仮決済識別情報を有する取消指示であるとする。取消指示を受信した場合、ステップＳ２１１に進み、受信していない場合、ステップＳ２１４に進む。
【０１０４】
（ステップＳ２１１）決済取消処理部１４１は、ステップＳ２１０で受信した取消指示が示す仮決済情報を削除する処理を行う。具体的には、決済取消処理部１４１は、ステップＳ２１０で受信した取消指示が有する仮決済識別情報が示す仮決済情報を削除する処理を行う。例えば、ステップＳ２１０で受信した取消指示が有する仮決済識別情報と一致する仮決済識別情報を有する仮決済管理情報を、仮決済管理情報格納部１２２から削除しても良いし、この仮決済管理情報に、削除されたことを示すフラグ等の情報を付与してもよい。
【０１０５】
（ステップＳ２１２）取消料処理部１４２は、ステップＳ２１０で受信した取消指示が示す仮決済情報に含まれる販売者識別情報に対応する取消料を取得する。そして、ステップＳ２１０で受信した取消指示が示す仮決済情報に含まれるカード識別情報が示す決済カードから、この仮決済情報に含まれる販売者識別情報に対応する販売者を支払先として、取得した取消料を決済する。
【０１０６】
（ステップＳ２１３）取消通知部１４３は、ステップＳ２１０で受信した取消指示が示す仮決済情報に含まれる販売者識別情報が示す販売者端末１１に、取消指示が有していた仮決済識別情報を含む取消通知情報を送信する。そして、ステップＳ２０１に戻る。
【０１０７】
（ステップＳ２１４）期限判断部１２９は、仮決済情報の期限について判断するタイミングであるか否かを判断する。期限判断部１２９は、どのように、期限について判断するタイミングであるかを判断しても良い。例えば、期限判断部１２９は、予め指定された時間が経過する毎に、期限を判断するタイミングであると判断する。また、予め指定された時刻になると、期限を判断するタイミングであると判断しても良い。判断するタイミングである場合、ステップＳ２１５に進み、判断するタイミングでない場合、ステップＳ２０１に戻る。
【０１０８】
（ステップＳ２１５）期限判断部１２９は、図示しない時計等から、本日の日付を取得する。
【０１０９】
（ステップＳ２１６）期限判断部１２９は、カウンターｍの値に１を代入する。
【０１１０】
（ステップＳ２１７）期限判断部１２９は、仮決済管理情報格納部１２２に格納されている仮決済管理情報の中に、ｍ番目の仮決済管理情報があるか否かを判断する。ただし、削除されている仮決済管理情報はカウント対象から除外する。ある場合、ステップＳ２１８に進み、ない場合、ステップＳ２０１に戻る。
【０１１１】
（ステップＳ２１８）期限判断部１２９は、ｍ番目の仮決済管理情報から、決済指示期限情報を読み出す。
【０１１２】
（ステップＳ２１９）期限判断部１２９は、ステップＳ２１８で読み出した決済指示期限情報が示す期限と、ステップＳ２１５で取得した本日の日付との差を算出する。具体的には、期限判断部１２９は、決済指示期限情報が示す期限から、ステップＳ２１５で取得した本日の日付を減算した値を取得する。
【０１１３】
（ステップＳ２２０）期限判断部１２９は、ステップＳ２１９で取得した差を用いて、決済指示期限情報が示す期限を過ぎたか否かを判断する。例えば、ステップＳ２１９で取得した差が、０以上の値である場合、期限を過ぎていないと判断し、０未満の値である場合、期限を過ぎたと判断する。期限を過ぎた場合、ステップＳ２２１に進み、期限を過ぎていない場合、ステップＳ２２５に進む。
【０１１４】
（ステップＳ２２１）決済取消処理部１４１は、ｍ番目の仮決済管理情報に含まれる仮決済情報を、ステップＳ２１１と同様に、削除する。
【０１１５】
（ステップＳ２２２）取消料処理部１４２は、ステップＳ２１２と同様に、ｍ番目の仮決済管理情報に含まれる仮決済情報の販売者識別情報に対応する取消料を取得する。そして、取消料処理部１４２は、ｍ番目の仮決済管理情報に含まれる仮決済情報のカード識別情報が示す決済カードから、この仮決済情報に含まれる販売者識別情報に対応する販売者を支払先として、取得した取消料を決済する。
【０１１６】
（ステップＳ２２３）取消通知部１４３は、ｍ番目の仮決済管理情報に含まれる販売者識別情報が示す販売者端末１１に、この仮決済識別情報を含む取消通知情報を送信する。
【０１１７】
（ステップＳ２２４）期限判断部１２９は、カウンターｍの値を１インクリメントする。そして、ステップＳ２１７に戻る。
【０１１８】
（ステップＳ２２５）期限判断部１２９は、ステップＳ２１９で取得した差が、予め指定された日数以下であるか否かを判断する。指定された日数以下である場合、ステップＳ２２６に進み、日数以下でない場合、ステップＳ２２４に進む。
【０１１９】
（ステップＳ２２６）期限送信部１４０は、取り置きが終了する期限が近づいて居ることを示す情報を、ｍ番目の仮決済管理情報に含まれる販売者識別情報が示す販売者端末１１に送信する。そして、ステップＳ２２４に進む。
【０１２０】
なお、図３のフローチャートにおいて、電源オフや処理終了の割り込みにより処理は終了する。
【０１２１】
次に、決済処理システム１のユーザ端末１３の動作について図４のフローチャートを用いて説明する。
【０１２２】
（ステップＳ３０１）ユーザ側受信部１３１は、仮決済識別情報を受信したか否かを判断する。受信した場合、ステップＳ３０２に進み、受信していない場合、ステップＳ３０３に進む。
【０１２３】
（ステップＳ３０２）ユーザ側出力部１３４は、ステップＳ３０１で受信した仮決済識別情報を出力する。例えば、ユーザ側出力部１３４は、仮決済識別情報を図示しないモニタ等に表示する。また、ユーザ側出力部１３４は、仮決済識別情報を図示しない記憶媒体等に蓄積しても良い。そして、ステップＳ３０１に戻る。
【０１２４】
（ステップＳ３０３）決済指示受付部１３２は、決済指示を受け付けたか否かを判断する。決済指示は、例えば、キーボードやタッチパネル等を介して受け付ける。ここでは、一例として、決済指示受付部１３２は、仮決済識別情報を有する決済指示を受け付けるものとする。受け付けた場合、ステップＳ３０４に進み、受け付けていない場合、ステップＳ３０５に進む。
【０１２５】
（ステップＳ３０４）決済指示送信部１３３は、ステップＳ３０３で受け付けた決済指示を、決済処理装置１２に送信する。そして、ステップＳ３０１に戻る。
【０１２６】
（ステップＳ３０５）決済指示受付部１３２は、取消指示を受け付けたか否かを判断する。取消指示は、例えば、キーボードやタッチパネル等を介して受け付ける。ここでは、一例として、決済指示受付部１３２は、仮決済識別情報を有する取消指示を受け付けるものとする。受け付けた場合、ステップＳ３０６に進み、受け付けていない場合、ステップＳ３０１に戻る。
【０１２７】
（ステップＳ３０６）決済指示送信部１３３は、ステップＳ３０５で受け付けた決済指示を、決済処理装置１２に送信する。そして、ステップＳ３０１に戻る。
【０１２８】
なお、図４のフローチャートにおいて、電源オフや処理終了の割り込みにより処理は終了する。
【０１２９】
以下、本実施の形態における決済処理システム１の具体的な動作について説明する。図５は、本実施の形態の具体例における決済処理システム１の概念図である。ここでは、一例として、販売者端末１１、決済処理装置１２、およびユーザ端末１３がそれぞれコンピュータであるとする。また、販売者端末１１と決済処理装置１２とユーザ端末１３とは、インターネット等のネットワークを介して接続されているものとする。なお、ここでは、説明のため、販売者端末１１およびユーザ端末１３が、それぞれ一つである場合を例示しているが、それぞれは複数であっても良い。また、ここでは、決済カードがクレジットカードであるとする。販売者端末１１は、例えば、販売者Ａ（ここでは、法人であるとする）が利用するものとし、決済処理装置１２は、決済カードを利用したサービスを提供するカード会社が利用するものであるとし、ユーザ端末１３は、商品を購入するユーザＢが利用するものとする。
【０１３０】
まず、ユーザＢが、販売者Ａが経営する店舗に訪問して、ユーザＢが利用する決済カード（ここでは、クレジットカード）を提示して、一の商品の取り置きを販売者Ａに依頼したとする。
【０１３１】
まず、販売者Ａが、図示しないキーボードやマウス等を介して、取り置きされる商品を登録するための指示を販売者端末１１に入力すると、販売者端末１１は、取り置きされる商品があると判断して、取置商品識別情報と、仮決済情報とを取得するための待機状態となる。
【０１３２】
販売者Ａが、取り置きを依頼された商品に付与されている商品タグに記載されているバーコードを、販売者端末１１と接続された図示しないバーコードリーダで読み取ると、バーコードリーダは、バーコードから、商品の商品識別情報と、代金情報とを読み出す。取置商品識別情報取得部１１１は、バーコードリーダが読み出した商品識別情報を、取置商品識別情報として取得（例えば、受信）する。取得した取置商品識別情報は、例えば、「Ｇ１０１０８」であるとする。バーコードリーダが読み出した代金情報は、「１２０００」（単位は円）であり、この代金情報は、例えば、図示しないメモリ等に一時記憶される。
【０１３３】
また、販売者Ａが、ユーザＢが提示する決済カードのＲＦＩＤタグ等に格納されている情報を、販売者端末１１と接続された図示しないカードリーダで読み取ると、カードリーダは、ユーザＢの決済カードから、この決済カードのカード識別情報等を読み出す。読み出したカード識別情報は、例えば、「４９８１…３５２」である１６桁の数字であったとする。読み出したカード識別情報は、例えば、図示しないメモリ等に一時記憶される。
【０１３４】
また、販売者端末１１の図示しない記憶媒体には、予め販売者Ａの販売者識別情報が格納されているものとする。販売者Ａの販売者識別情報は、例えば「Ｓ００１３５」であるとする。
【０１３５】
仮決済情報取得部１１２は、上記で一時記憶された代金情報「１２０００」及びカード識別情報「４９８１…３５２」と、予め格納されている販売者識別情報「Ｓ００１３５」とを、仮決済情報として読み出す（取得する）。
【０１３６】
仮決済情報送信部１１３は、仮決済情報取得部１１２が上記で取得した代金情報「１２０００」と、カード識別情報「４９８１…３５２」と、販売者識別情報「Ｓ００１３５」とを有する仮決済情報を、決済処理装置１２に送信する。
【０１３７】
また、ここでは、一例として、販売者Ａが、ユーザＢから提供されるユーザＢの名前、電話番号、および住所の情報を、図示しないキーボード等を用いて入力すると、入力されたこれらの情報を、例えば、仮決済情報取得部１１２がユーザ個人情報として取得する。そして、仮決済情報取得部１１２は取得したユーザ個人情報を、図示しない記憶媒体等に一時記憶する。
【０１３８】
決済処理装置１２の仮決済受信部１２１は、販売者端末１１から送信される仮決済情報を受信する。仮決済情報が受信されると、仮決済管理情報蓄積部１２３は、予め指定されているルールに従って、仮決済識別情報を取得する。ここでは、一例として、新たな仮決済情報を受信するごとに、値を１インクリメントさせた連番を取得するものとする。仮決済受信部１２１が取得した仮決済識別情報は、「Ｔ３０５３２」であるとする。
【０１３９】
図６は、図示しない記憶媒体等に予め格納されている期限ルール情報を示す図である。図においては、各行が、期限ルール情報を示している。図において、期限ルール情報は、「販売者ＩＤ」と、「ルール」という項目を有している。「販売者ＩＤ」は、販売者識別情報である。「ルール」は、販売者識別情報に対応した決済指示期限情報を設定するためのルールを示す情報である。ここでは、現在の日付に対して加算される日数の値が、「ルール」の値として格納されており、「ルール」の値を現在の日付に対して加算して得られる日付が決済指示期限情報であるとする。
【０１４０】
次に、仮決済管理情報蓄積部１２３は、決済指示期限情報を取得する処理を行う。まず、仮決済受信部１２１が受信した仮決済情報から、販売者識別情報「Ｓ００１３５」を読み出す。仮決済管理情報蓄積部１２３は図６に示した期限ルール情報から、「販売者ＩＤ」の値が、「Ｓ００１３５」である期限ルール情報のレコード（行）を検出し、検出したレコードの「ルール」の値である「７」を取得する。
【０１４１】
また、仮決済管理情報蓄積部１２３は、図示しない時計等から、現在の日付「２０１２年１月１６日」を取得し、取得した日付に、期限ルール情報から取得した「ルール」の値である「７」を加算して、「２０１２年１月２３日」という決済指示期限情報を取得する。
【０１４２】
仮決済管理情報蓄積部１２３は、仮決済受信部１２１が受信した仮決済情報と、上記で取得した仮決済識別情報「Ｔ３０５３２」と、決済指示期限情報「２０１２年１月２３日」とを有する仮決済管理情報を、仮決済管理情報格納部１２２に蓄積する。
【０１４３】
図７は、仮決済管理情報蓄積部１２３に格納されている仮決済管理情報を示す図である。図においては、各行が、仮決済管理情報を示している。仮決済管理情報は、「仮決済ＩＤ」と、「仮決済情報」と、「期限」という項目を有している。「仮決済情報」は、更に、「販売者ＩＤ」と、「代金」と、「カードＩＤ」という項目を有している。「仮決済ＩＤ」は、仮決済識別情報である。「仮決済情報」は仮決済情報であり、「販売者ＩＤ」は販売者識別情報、「代金」は代金情報、「カードＩＤ」はカード識別情報である。「期限」は、決済指示期限情報である。なお、ここでは、既に、他の仮決済管理情報が蓄積されていたものとし、一番上の行（レコード）が、仮決済管理情報蓄積部１２３が蓄積した最新の仮決済管理情報であるとする。
【０１４４】
仮決済識別情報送信部１２４は、仮決済管理情報蓄積部１２３が取得した仮決済識別情報「Ｔ３０５３２」を、仮決済受信部１２１が受信した仮決済情報の送信元となる販売者端末１１に送信する。なお、仮決済識別情報の送信は、仮決済管理情報の蓄積の前に行うようにしても良い。
【０１４５】
また、仮決済識別情報送信部１２４は、仮決済管理情報蓄積部１２３が取得した仮決済識別情報「Ｔ３０５３２」を、この仮決済識別情報が示す仮決済情報のカード識別情報「４９８１…３５２」が示す決済カードを利用するユーザのユーザ端末１３に対して送信する。仮決済識別情報の送信先となるユーザ端末１３のアドレス情報等は、例えば、以下のようにして取得する。
【０１４６】
図８は、図示しない記憶媒体等に予め格納されているユーザが利用する決済カードのカード識別情報と、ユーザが利用するユーザ端末１３のアドレス情報とを管理する情報であるユーザアドレス管理情報である。ユーザアドレス管理情報は、「カードＩＤ」と、「アドレス」という項目を有している。「カードＩＤ」は、カード識別情報である。「アドレス」は、ユーザ端末１３のアドレス情報であり、ここではメールアドレスであるとする。
【０１４７】
仮決済識別情報送信部１２４は、図８に示したユーザアドレス管理情報において、「カードＩＤ」の値が、仮決済管理情報蓄積部１２３が取得した仮決済識別情報「Ｔ３０５３２」が示す仮決済情報のカード識別情報「４９８１…３５２」と一致するレコードを検索し、検出したレコードの「アドレス」の値である「ａｂ１２３ｃ＠ａｄｃｄ…」を読み出す。そして、読み出したメールアドレスを、宛先として、仮決済識別情報「Ｔ３０５３２」を送信する。
【０１４８】
販売者端末１１の仮決済識別情報受信部１１４は、決済処理装置１２から送信される仮決済識別情報「Ｔ３０５３２」を受信する。取置情報出力部１１６は、受信した仮決済識別情報「Ｔ３０５３２」と、上記で取置商品識別情報取得部１１１が取得した取置商品識別情報「Ｇ１０１０８」とを有する取置情報を、取置情報格納部１１５に蓄積する。ここでは、取置情報出力部１１６は、上述した仮決済情報取得部１１２が取得したユーザ個人情報を更に含む取置情報を取置情報格納部１１５に蓄積する。
【０１４９】
図９は、取置情報格納部１１５に格納された取置情報を示す図である。図において、各行が、それぞれ取置情報を示す。取置情報は、「仮決済ＩＤ」と、「取置商品ＩＤ」と、「ユーザ個人情報」という項目を有する。「ユーザ個人情報」は、更に、「氏名」、「電話番号」、「住所」という項目を有している。「仮決済ＩＤ」は仮決済識別情報である。「取置商品ＩＤ」は取置商品識別情報である。「氏名」、「電話番号」、「住所」は、ユーザの氏名、電話番号、住所である。
【０１５０】
ユーザ端末１３のユーザ側受信部１３１は、決済処理装置１２から送信される仮決済識別情報「Ｔ３０５３２」を受信する。ここでは、一例として、電子メールで送信される仮決済識別情報を有する情報を受信する。ユーザ側出力部１３４は、ユーザ側受信部１３１が受信した仮決済識別情報「Ｔ３０５３２」を図示しない記憶媒体等に蓄積（即ち、出力）する。ユーザ側出力部１３４は、例えば、電子メールの受信フォルダ等に蓄積する。また、ユーザ側出力部１３４は、受信した仮決済識別情報「Ｔ３０５３２」を、例えば、図示しないモニタ等に表示（出力）する。この仮決済識別情報「Ｔ３０５３２」の表示は、ユーザから、一旦図示しない記憶媒体等に蓄積された仮決済識別情報の表示を行う指示を受け付けた場合に行うようにしても良い。これにより、ユーザ端末１３を利用する商品の取り置きを行ったユーザＢは、取り置きを行った商品についての仮決済識別情報「Ｔ３０５３２」を認識することができる。
【０１５１】
次に、取り置きした商品を購入しようと考えたユーザＢが、ユーザ端末１３の図示しないモニタに、図１０に示すような決済指示を受け付けるための入力インターフェース画面を表示させ、仮決済識別情報の入力フィールド５０に、決済の対象となる仮決済識別情報「Ｔ３０５３２」を入力して、「購入」ボタン５１を、マウス等を利用してクリックすると、決済指示受付部１３２は、入力フィールド５０に入力された仮決済識別情報「Ｔ３０５３２」と、決済を行うことを示す命令とを有する決済指示を受け付け、決済指示送信部１３３が、この決済指示を決済処理装置１２に送信する。
【０１５２】
決済処理装置１２の決済指示受信部１２５が、決済指示を受信すると、決済処理部１２６は、受信した決済指示に従って、決済指示に含まれる仮決済識別情報「Ｔ３０５３２」を読み出し、図７に示した仮決済管理情報の中から、「仮決済ＩＤ」の値が、「Ｔ３０５３２」である仮決済管理情報（レコード）を検出し、検出した仮決済管理情報に含まれる仮決済情報である代金情報「１２０００」と、カード識別情報「４９８１…３５２」と、販売者識別情報「Ｓ００１３５」とを読み出す。そして、読み出した仮決済情報を用いて、決済処理を行う。具体的には、カード識別情報「４９８１…３５２」が示す決済カードのユーザに対して、代金情報「１２０００」が示す代金を請求するための処理を行い、販売者識別情報が「Ｓ００１３５」である販売者に、代金情報「１２０００」の代金を支払う処理と、この代金から、決済カードを利用した手数料として、代金の予め指定された割合の金額を請求する処理等を行う。
【０１５３】
請求する処理が完了すると、決済完了情報送信部１２７は、仮決済識別情報「Ｔ３０５３２」を含む決済完了情報を取得し、決済に用いられた販売者識別情報「Ｓ００１３５」が示す販売者端末１１に送信する。決済完了情報は、例えば、図示しない記憶媒体に蓄積されている決済完了情報用のテンプレート情報に、仮決済識別情報「Ｔ３０５３２」を配置して作成する。販売者識別情報「Ｓ００１３５」が示す販売者が利用する販売者端末１１のアドレス情報は例えば以下のように取得する。
【０１５４】
図１１は、図示しない記憶媒体等に予め格納されている販売者識別情報と、販売者が利用する販売者端末１１のアドレス情報とを管理する情報である販売者アドレス管理情報である。販売者アドレス管理情報は、「販売者ＩＤ」と、「アドレス」という項目を有している。「販売者ＩＤ」は、販売者識別情報である。「アドレス」は、販売者端末１１のアドレス情報であり、ここでは一例としてメールアドレスであるとする。
【０１５５】
仮決済識別情報送信部１２４は、図１１に示した販売者アドレス管理情報において、「販売者ＩＤ」の値が、決済に用いられた販売者識別情報である「Ｓ００１３５」と一致するレコードを検索し、検出したレコードの「アドレス」の値である「ｓｍａｓｈｓ＠ｓｔｓｔ…」を読み出す。そして、読み出したメールアドレスを宛先として、仮決済識別情報「Ｔ３０５３２」を含む決済完了情報を送信する。
【０１５６】
そして、決済処理部１２６は、決済が完了した決済完了情報を含む仮決済管理情報のレコードを削除する。あるいは、削除の代わりに、このレコードに決済が完了したことを示すフラグ情報等を付与するようにしても良い。
【０１５７】
販売者端末１１の決済完了情報受信部１１７は、決済処理装置１２が送信した決済完了情報を受信する。決済完了情報出力部１１８は、決済完了情報受信部１１７が受信した決済完了情報に関する情報として、決済完了情報自身を、図示しないモニタ等に表示する。
【０１５８】
図１２は、決済完了情報の表示例を示す図である。販売者Ａは、この決済完了情報に示されている仮決済識別情報「Ｔ３０５３２」に対応する取置商品識別情報およびユーザ個人情報を、取置情報格納部１１５に格納されている取置情報の中から検索等により取得することで、取り置きが行われた商品や、取り置きを行ったユーザを認識することができる。そして、例えば、ユーザ個人情報に含まれる住所等を用いて、取り置きされた商品を発送したりすることができる。
【０１５９】
なお、決済完了情報出力部１１８は、決済完了情報に含まれる決済識別情報「Ｔ３０５３２」に対応する取置商品識別情報「Ｇ１０１０８」およびユーザ個人情報等を、取置情報格納部１１５に格納されている取置情報から取得して、図示しないモニタ等に表示するようにしても良い。
【０１６０】
ここで、仮に、図１０に示すような入力インターフェースを用いて決済指示を入力する代わりに、ユーザＢが、取り置きした商品について、取り置きを取り消そうと考え、ユーザ端末１３の図示しないモニタに、図１３に示すような取消指示を受け付けるための入力インターフェース画面を表示させ、仮決済識別情報の入力フィールド６０に、取消の対象となる仮決済識別情報「Ｔ３０５３２」を入力して、「取消」ボタン６１を、マウス等を利用してクリックすると、決済指示受付部１３２は、入力フィールド６０に入力された仮決済識別情報「Ｔ３０５３２」と、取り置きを取り消す処理を行うことを示す命令とを有する取消指示を受け付け、決済指示送信部１３３が、この取消指示を決済処理装置１２に送信する。
【０１６１】
決済処理装置１２の取消指示受信部１２８が、取消指示を受信すると、決済取消処理部１４１は、受信した取消指示に従って、取消指示に含まれる仮決済識別情報「Ｔ３０５３２」を読み出し、図７に示した仮決済管理情報の中から、「仮決済ＩＤ」の値が、「Ｔ３０５３２」である仮決済管理情報（レコード）を検出し、このレコードの情報を削除する処理を行う。例えば、このレコードに図示しない削除フラグ等を立てるようにしても良い。
【０１６２】
また、取消料処理部１４２は、削除される決済管理情報に含まれる仮決済識別情報と、仮決済情報、具体的には、販売者識別情報「Ｓ００１３５」と、代金情報「１２０００」と、カード識別情報「４９８１…３５２」を、決済管理情報が削除される前に取得しておくようにし、この販売者識別情報「Ｓ００１３５」に対応する取消料を以下のようにして取得する。
【０１６３】
図１４は、図示しない記憶媒体等に予め蓄積されている取消料管理情報である。取消料管理情報は、「販売者ＩＤ」と、「取消料」とを有する。「販売者ＩＤ」は、販売者識別情報である。「取消料」は販売者毎の取消料を示す情報である。ここでは、取消料を示す情報は、取り消しの対象となる仮決済情報に含まれる代金情報が示す金額に対する比率（％）を表すものとする。ただし、「取消料」の値は、金額で表されていても良い。この場合、取消料は、取り消しの対象となる仮決済情報に関わらず一定となる。図において、各行が、それぞれ、取消料管理情報を示している。
【０１６４】
取消料処理部１４２は、削除される決済管理情報に含まれる決済情報の販売者識別情報「Ｓ００１３５」を含む取消料管理情報のレコード（行）を、図１４に示した取消料管理情報において検索し、検出した取消料管理情報のレコードの「取消料」の値である「５」（％）を取得する。そして、削除される決済管理情報に含まれる決済情報の代金情報「１２０００」（円）に、この「取消料」の値である「５」（％）を乗算して、商品の取り置きに対する取消料である「６００」円を取得する。そして、上述した決済処理部１２６と同様に、削除される決済管理情報に含まれる決済情報を用いて、この取消料を、この決済情報に含まれるカード識別情報が示す決済カードを用いて、決済情報に含まれる販売者識別情報が示す販売者Ａに対して決済する決済処理を行う。このとき、上記と同様に、手数料が、決済カードのサービスを提供するカード会社によって徴収される。
【０１６５】
このようにして、ユーザが取り置きした商品の購入を行わないことを決定した場合には、取消料をユーザの決済カードから取得することが可能となる。
【０１６６】
そして、取消通知部１４３は、決済完了情報送信部１２７が決済完了情報を送信する場合と同様に、削除される決済完了情報に含まれる仮決済識別情報「Ｔ３０５３２」を含む取消通知情報を図示しないテンプレート等を用いて生成し、販売者識別情報「Ｓ００１３５」に対応する販売者端末１１に送信する。
【０１６７】
販売者端末１１の決済完了情報受信部１１７は、決済処理装置１２から送信される取消通知情報を受信する。そして、決済完了情報出力部１１８は、この取消通知情報に関する情報を出力する。例えば、決済完了情報出力部１１８は、この取消通知情報を図示しないモニタに表示する。
【０１６８】
図１５は、決済完了情報出力部１１８による取消通知情報の表示例を示す図である。販売者Ａは、この取消通知情報を見ることで、取り置きされた商品が購入に至らなかったことを知ることができる。
【０１６９】
次に、取り置きの期限を判断する処理について説明する。決済処理装置１２の期限判断部１２９は、仮決済情報についての期限を判断する予め指定されたタイミングになったか否かを繰り返し判断している。そして、仮に、期限判断部１２９が、予め指定されたタイミングになったと判断したとする。例えば、予め指定されたタイミングが、毎日の午前１０時という時刻であったとすると、期限判断部１２９は、現在の時刻を図示しない時計等から取得して、現在の時刻が、午前１０時になった場合に、仮決済情報についての期限を判断する予め指定されたタイミングになったと判断する。
【０１７０】
期限判断部１２９は、現在の日付を、決済処理装置１２内部等に設けられた図示しない時計等から取得する。現在の日付が、仮に、「２０１２年１月２１日」であったとする。
【０１７１】
次に、期限判断部１２９は、まず、図７に示した仮決済管理情報の１番目の仮決済管理情報（ここでは、上から１番目の仮決済管理情報）から、決済指示期限情報である「期限」の値（ここでは、「２０１２年１月２３日」）を取得する。なお、ここでは説明のため、図７に示した仮決済管理情報においては、決済指示や取消指示に伴うレコードの削除が行われていないものとする。
【０１７２】
そして、この「期限」の値である「２０１２年１月２３日」から現在の日付「２０１２年１月２１日」を減算して、差を算出する。ここでは、差は、「２」（日）となる。
【０１７３】
期限判断部１２９は、差が０未満の値でないため、決済指示期限情報が示す期限、即ち、取り置きした商品についての決済の期限を過ぎていないと判断する。
【０１７４】
決済の期限を過ぎていないと判断したため、期限判断部１２９は、この期限が予め指定された日数以下であるか否かを判断する。例えば、予め指定された日数が「２」であったとすると、上記の差「２」は、２以下の値であるため、期限判断部１２９は、予め指定された日数以下であると判断する。そして、予め用意された図示しない記憶媒体等に格納されているテンプレート等に、１番目の仮決済管理情報に含まれる「仮決済ＩＤ」の値「Ｔ３０５３２」と、「期限」の値「２０１２年１月２３日」とを配置して、取り置きした商品についての決済の期限が近づいていることを示す情報を生成する。
【０１７５】
そして、仮決済識別情報送信部１２４と同様に、１番目の仮決済管理情報に含まれる「カードＩＤ」に対応するユーザ端末１３に対して、決済の期限が近づいていることを示す情報を送信する。
【０１７６】
ユーザ端末１３のユーザ側受信部１３１は、この決済が近づいていることを示す情報を受信する。そして、ユーザ側出力部１３４は、この決済が近づいていることを示す情報を、図示しないモニタ等に表示する。
【０１７７】
図１６は、ユーザ側出力部１３４による取り置きした商品についての決済の期限が近づいていることを示す情報の表示例を示す図である。ユーザＢは、この情報を見ることで、取り置きされた商品の取り置きできる期限が近づいていることを知ることができる。
【０１７８】
期限判断部１２９は、仮決済管理情報の２番目以降のレコードについても同様の、取り置きの期限に関する判断の処理を順次行う。
【０１７９】
なお、現在の日付との差が、予め指定された日数以下でない場合は、上記のように決済の期限が近づいていることを示す情報を送信するための処理等は行わず、次のレコードの仮決済管理情報についての期限に関する処理を行う。
【０１８０】
また、一の仮決済管理情報が示す期限と、現在の日付との差が、０未満の値であった場合、期限判断部１２９は、取り置きした商品についての決済の期限を過ぎていると判断する。そして、決済取消処理部１４１が、この仮決済管理情報について上記と同様の商品の取り置きを取り消す処理を行い、取消料処理部１４２は、この仮決済管理情報に含まれる仮決済情報を用いて上記と同様に取消料を決済する処理を行い、取消通知部１４３は、上記と同様に取消通知情報を販売者端末１１に送信する処理を行う。なお、取消通知部１４３は、取消通知情報を、ユーザ端末１３にも送信するようにしても良い。
【０１８１】
そして、次のレコードの仮決済管理情報について期限に関する処理を行う。
【０１８２】
以上、本実施の形態によれば、ユーザの指示で取り置いた商品を、このユーザの利用する決済カードのカード識別情報と対応付けて、決済処理装置で管理し、取り置きを指示したユーザからの決済指示によって、取り置きした商品の決済を行えるようにしたことにより、ユーザが取り置きした商品の管理を容易に行うことができる。
【０１８３】
また、販売者は、商品の取り置きの際に、保証金等を受け取ったりする必要がなく、取り置きした商品についての決済や、取り消しの管理を、販売者自身で行う必要がなく、取り置きに関する管理を容易に行うことができる。また、取り置きについての取消料の徴収を容易に行うことが可能となる。
【０１８４】
また、決済処理装置を提供する決済カードのカード会社等は、取り置きした商品についての決済や、取り消しの管理を行う代償として、取り置きされた商品の購入が、自社等で提供する決済カードを利用して行われることとなるため、取り置きされた商品の購入によって、利益を上げることができる。
【０１８５】
また、従来であれば、例えば、取り置きした商品の購入が取り消された場合に、ユーザから取消料（キャンセル料）を請求しようとしても、ユーザが商品の購入の取消を、店舗に直接訪問せずに、電話やメール等で通知してきた場合、取消料を請求することが困難であったが、本実施の形態においては、取消料をユーザの決済カードを用いて確実に請求することが可能となる。
【０１８６】
なお、上記実施の形態においては、各販売者端末１１が取置情報格納部１１５を有している場合を例に挙げて説明したが、本発明においては、決済処理装置１２が各販売者端末１１からアクセス可能な取置情報格納部１１５を有しているようにしても良い。この場合、例えば、取置情報出力部１１６が、取置情報を販売者端末１１内の取置情報格納部１１５に蓄積する代わりに、各販売者端末１１の識別情報と対応付けて、ネットワーク等を介して決済処理装置１２に送信し、受信した取置情報を、決済処理装置１２１が、受信した販売者端末１１の識別情報と対応付けて、内部に設けられた取置情報格納部１１５に蓄積するようにしても良い。この場合、販売者端末１１の各処理部等は、適宜必要に応じて、決済処理装置１２内の取置情報格納部１１５にネットワーク等を介してアクセスして、取置情報を取得するようにすればよい。
【０１８７】
なお、上記実施の形態１において、仮決済管理情報蓄積部１２３は、販売者が指定した（入力した）仮決済識別情報を仮決済受信部１２１が受信した仮決済情報の仮決済識別情報として取得するようにしてもよい。例えば、一の商品についての仮決済情報を取得する際に、販売者等からキーボード等の入力デバイス等を介して入力した仮決済識別情報を、販売者端末１１の仮決済情報取得部１１２等が取得するようにし、仮決済情報送信部１１３が、仮決済情報と対応付けて、この仮決済識別情報を決済処理装置１２に送信するようにし、仮決済管理情報蓄積部１２３が、仮決済情報と対応付けられて、販売者端末１１から送信された仮決済識別情報を、この仮決済情報に対応する仮決済識別情報として取得し、蓄積するようにしても良い。この場合、販売者端末１１は、仮決済識別情報を仮決済情報取得部１１２から取得すれば良く、仮決済識別情報を決済処理装置１２から受信する必要がないため、仮決済識別情報送信部１２４からの、販売者端末１１への仮決済識別情報の送信等は省略可能である。
【０１８８】
また、取置商品識別情報取得部１１１が取得した取置商品識別情報を、仮決済識別情報として用いるようにしても良い。例えば、取置商品識別情報取得部１１１が取得した取置商品識別情報を、仮決済情報取得部１１２が取得した仮決済情報と対応付けて、仮決済情報送信部１１３が、決済処理装置１２に送信するようにし、仮決済受信部１２１が仮決済情報とともに受信した取得商品識別情報を、仮決済管理情報蓄積部１２３が、仮決済受信部１２１の受信した仮決済情報を示す仮決済識別情報として取得するようにしても良い。このような場合、販売者端末１１の取置情報出力部１１６は、取置商品識別情報取得部１１１が取得した取置商品識別情報を用いて、取置情報を取得すればよく、仮決済識別情報送信部１２４からの、販売者端末１１への仮決済識別情報の送信や、仮決済識別情報受信部１１４等は省略可能である。また、この場合、仮決済識別情報が取得商品識別情報であるため、取置情報は、取得商品識別情報を少なくとも有するものとして良い。なお、取置商品識別情報に対して、予め指定されたルール等により、文字列や取り置きした日付の情報等を追加したり、変更を行ったりして生成された情報を、仮決済識別情報として取得するようにしても良い。このような場合でも、仮決済識別情報を取得するルール等が決まっていれば、販売者端末１１と決済処理装置１２のいずれにおいても、同じ仮決済識別情報を取得することができるため、仮決済識別情報送信部１２４が仮決済識別情報を、販売者端末１１に送信する必要はない。また、同様に、取置商品識別情報と、仮決済情報取得部１１２が取得した仮決済情報の少なくとも一部との組合せ、あるいはこれに予め指定されたルールに従った変更を行った情報を、仮決済識別情報として用いるようにしても良い。あるいは、仮決済情報取得部１１２が取得した仮決済情報の少なくとも一部との組合せ、あるいはこれに予め指定された変更を行った情報を、仮決済識別情報として用いるようにしても良い。
【０１８９】
なお、上記各実施の形態において、各処理（各機能）は、単一の装置（システム）によって集中処理されることによって実現されてもよく、あるいは、複数の装置によって分散処理されることによって実現されてもよい。
【０１９０】
また、上記各実施の形態において、一の装置に存在する２以上の通信手段（情報送信部など）は、物理的に一の媒体で実現されても良いことは言うまでもない。
【０１９１】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１９２】
また、上記各実施の形態では、決済処理装置がスタンドアロンである場合について説明したが、決済処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１９３】
また、上記各実施の形態において、仮決済管理情報蓄積部１２３、決済処理部１２６、期限判断部１２９、決済取消処理部１４１、取消料処理部１４２等の各構成要素は、専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１９４】
なお、上記各実施の形態における決済処理装置を実現するソフトウェアは、以下のようなプログラムである。つまり、このプログラムは、仮決済情報と、仮決済情報を識別する情報である仮決済識別情報とを有する１以上の仮決済管理情報が格納される仮決済管理情報格納部にアクセス可能なコンピュータを、ユーザが取り置きを指示した１以上の商品の代金を示す代金情報と、商品の販売者の識別情報である販売者識別情報と、商品の取り置きを指示したユーザが、商品を購入する際の決済に利用するカードである決済カードのカード識別情報と、を有する情報である仮決済情報を受信する仮決済受信部と、仮決済受信部が受信した仮決済情報を識別する仮決済識別情報を取得し、取得した仮決済識別情報と、仮決済情報とを有する仮決済管理情報を、仮決済管理情報格納部に蓄積する仮決済管理情報蓄積部と、１以上の仮決済識別情報が示す仮決済情報に関する決済を行う指示である決済指示を受信する決済指示受信部と、決済指示受信部が受信した決済指示に応じて、１以上の仮決済識別情報が示す仮決済情報に関する決済を行う決済処理部と、決済指示が示す１以上の仮決済識別情報が示す仮決済情報に関する決済を完了したことを示す決済完了情報を、仮決済情報の販売者識別情報が示す販売者に対応する通知先に送信する決済完了情報送信部として機能させるためのプログラムである。
【０１９５】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１９６】
また、このプログラムを実行するコンピュータは、単数であってもよく、複数であってもよい。すなわち、集中処理を行ってもよく、あるいは分散処理を行ってもよい。
【０１９７】
図１７は、上記プログラムを実行して、上記実施の形態による販売者端末、決済処理装置およびユーザ端末をそれぞれ実現するコンピュータの外観の一例を示す模式図である。上記実施の形態は、コンピュータハードウェア及びその上で実行されるコンピュータプログラムによって実現されうる。
【０１９８】
図１７において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１９９】
図１８は、コンピュータシステム９００の内部構成を示す図である。図１８において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０２００】
コンピュータシステム９００に、上記実施の形態による決済処理装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０２０１】
プログラムは、コンピュータ９０１に、上記実施の形態による決済処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０２０２】
本発明は、以上の実施の形態に限定されることなく、種々の変更が可能であり、それらも本発明の範囲内に包含されるものであることは言うまでもない。
【産業上の利用可能性】
【０２０３】
以上のように、本発明にかかる決済処理装置等は、決済カードを利用して決済処理を行う装置等として適しており、特に、商品の取り置きを行った場合の決済の処理等に利用可能なとして有用である。
【符号の説明】
【０２０４】
１  決済処理システム
１１  販売者端末
１２  決済処理装置
１３  ユーザ端末
１１１  取置商品識別情報取得部
１１２  仮決済情報取得部
１１３  仮決済情報送信部
１１４  仮決済識別情報受信部
１１５  取置情報格納部
１１６  取置情報出力部
１１７  決済完了情報受信部
１１８  決済完了情報出力部
１２１  仮決済受信部
１２２  仮決済管理情報格納部
１２３  仮決済管理情報蓄積部
１２４  仮決済識別情報送信部
１２５  決済指示受信部
１２６  決済処理部
１２７  決済完了情報送信部
１２８  取消指示受信部
１２９  期限判断部
１３１  ユーザ側受信部
１３２  決済指示受付部
１３３  決済指示送信部
１３４  ユーザ側出力部
１４０  期限送信部
１４１  決済取消処理部
１４２  取消料処理部
１４３  取消通知部
【図１】
0005952617.tif 000002
【図２】
0005952617.tif 000003
【図３】
0005952617.tif 000004
【図４】
0005952617.tif 000005
【図５】
0005952617.tif 000006
【図６】
0005952617.tif 000007
【図７】
0005952617.tif 000008
【図８】
0005952617.tif 000009
【図９】
0005952617.tif 000010
【図１０】
0005952617.tif 000011
【図１１】
0005952617.tif 000012
【図１２】
0005952617.tif 000013
【図１３】
0005952617.tif 000014
【図１４】
0005952617.tif 000015
【図１５】
0005952617.tif 000016
【図１６】
0005952617.tif 000017
【図１７】
0005952617.tif 000018
【図１８】
0005952617.tif 000019